(57)【要約】周期的に送信される基準信号は、信号の無認可の検出および利用を防ぐのを助けるのに役立つプロプライエタリな特性を有することができる。より具体的には、基地局は、基準信号が送信される時間、および／または、信号をエンコードするコードを調節することができる。これらの調節は、必要に応じて特定の移動体デバイスと共有されてもよい方程式またはアルゴリズムに基づいていてもよい。【選択図】図４
2021521709.tif 000002
【特許請求の範囲】
【請求項１】
ワイヤレス通信ネットワーク中の移動体デバイスを用いて基準信号を取得する方法において、
前記移動体デバイスにおいて、前記ワイヤレス通信ネットワーク中の複数の基地局に対する基地局情報を取得し、前記基地局情報は、前記複数の基地局の各基地局のロケーションと識別子とを含むことと、
前記移動体デバイスを用いて、前記複数の基地局のうちの基地局に対するシード情報を取得することと、
前記基地局に対する前記基地局情報と前記シード情報とに基づいて、
一連の連続するシンボルを有する第１のリソースブロックから選択され、第１のポジショニング機会の間の前記基地局によるポジション測定信号の送信に対して指定された第１のシンボル、または、
コードの予め定められているセットから選択され、前記第１のポジショニング機会の間の前記基地局による前記ポジション測定信号の送信をエンコードするように指定された第１のコード、
のいずれか、または、両方を決定することと、
前記移動体デバイスを用いて、前記第１のシンボルまたは前記第１のコードのいずれかまたは両方を決定することに基づいて、前記ポジション測定信号の第１の測定を行うこととを含む方法。
【請求項２】
前記シード情報は、前記基地局によって後に送信されるワイヤレスポジショニング測定信号の少なくとも一部分の、シンボル期間、コード、または、両方を決定できる時間を示しているタイムスタンプを含む請求項１記載の方法。
【請求項３】
前記シード情報を取得することは、前記基地局から前記シード情報を受信することを含む請求項１記載の方法。
【請求項４】
前記シード情報は、初期状態情報を含む請求項１記載の方法。
【請求項５】
前記第１のシンボルまたは前記第１のコードのいずれかまたは両方を決定することは、前記初期状態情報に基づいて、線形フィードバックシフトレジスタに値を入力することを含む請求項４記載の方法。
【請求項６】
前記第１のシンボルまたは前記第１のコードのいずれかまたは両方を決定することは、前記シード情報からのデータを方程式に入力することと、前記方程式から前記第１のシンボルまたは前記第１のコードのいずれかまたは両方を取得することとを含む請求項１記載の方法。
【請求項７】
前記基地局に対する前記基地局情報と前記シード情報とに基づいて、
一連の連続するシンボルを有する第２のリソースブロックから選択され、第２のポジショニング機会の間の前記基地局による前記ポジション測定信号の送信のために指定された第２のシンボル、または、
前記コードの予め定められているセットから選択され、前記第２のポジショニング機会の間の前記基地局による前記ポジション測定信号の送信のために指定された第２のコード、
のいずれか、または、両方を決定することと、
前記移動体デバイスを用いて、前記第２のシンボルまたは前記第２のコードのいずれかまたは両方を決定することに基づいて、前記ポジション測定信号の第２の測定を行うこととをさらに含む請求項１記載の方法。
【請求項８】
前記第２のリソースブロック内の前記第２のシンボルのポジションは、前記第１のリソースブロック内の前記第１のシンボルのポジションと異なる請求項７記載の方法。
【請求項９】
前記第２のコードは、前記第１のコードと異なる請求項７記載の方法。
【請求項１０】
前記第２のコードを決定することは、少なくとも１つの線形フィードバックシフトレジスタの値を回数シフトすることを含む請求項７記載の方法。
【請求項１１】
前記基地局の識別に基づいて、前記少なくとも１つの線形フィードバックシフトレジスタの値をシフトする回数を決定することをさらに含む請求項１０記載の方法。
【請求項１２】
前記移動体デバイスを用いて、複数のポジショニング機会のそれぞれに対して、前記少なくとも１つの線形フィードバックシフトレジスタの値をシフトする回数を決定することをさらに含み、前記少なくとも１つの線形フィードバックシフトレジスタの値をシフトする回数は、前記複数のポジショニング機会のうちの少なくとも２つのポジショニング機会に対して異なる請求項１０記載の方法。
【請求項１３】
デバイスにおいて、
ワイヤレス通信インターフェースと、
メモリと、
前記ワイヤレス通信インターフェースおよび前記メモリと通信可能に結合されている処理ユニットとを具備し、
前記処理ユニットは、
ワイヤレス通信ネットワーク中の複数の基地局に対する基地局情報を取得し、前記基地局情報は、前記複数の基地局の各基地局のロケーションと識別子とを含み、
前記複数の基地局のうちの基地局に対するシード情報を取得し、
前記基地局に対する前記基地局情報と前記シード情報とに基づいて、
一連の連続するシンボルを有する第１のリソースブロックから選択され、第１のポジショニング機会の間の前記基地局によるポジション測定信号の送信に対して指定された第１のシンボル、または、
コードの予め定められているセットから選択され、前記第１のポジショニング機会の間の前記基地局による前記ポジション測定信号の送信をエンコードするように指定された第１のコード、
のいずれか、または、両方を決定し、
前記ワイヤレス通信インターフェースを使用して、前記第１のシンボルまたは前記第１のコードのいずれかまたは両方を決定することに基づいて、前記ポジション測定信号の第１の測定を行うように構成されているデバイス。
【請求項１４】
前記処理ユニットは、前記シード情報から、前記基地局によって後に送信されるワイヤレスポジショニング測定信号の少なくとも一部分の、シンボル期間、コード、または、両方を決定できる時間を示しているタイムスタンプを取得するように構成されている請求項１３記載のデバイス。
【請求項１５】
前記処理ユニットは、少なくとも部分的に、前記基地局から前記シード情報を受信することによって、前記シード情報を取得するように構成されている請求項１３記載のデバイス。
【請求項１６】
前記処理ユニットは、前記シード情報を使用して、初期状態情報を決定するように構成されている請求項１３記載のデバイス。
【請求項１７】
前記処理ユニットは、前記初期状態情報に基づいて、少なくとも部分的に、線形フィードバックシフトレジスタに値を入力することによって、前記第１のシンボルまたは前記第１のコードのいずれかまたは両方を決定するように構成されている請求項１６記載のデバイス。
【請求項１８】
前記処理ユニットは、少なくとも部分的に、前記シード情報からのデータを方程式に入力することと、前記方程式から前記第１のシンボルまたは前記第１のコードのいずれかまたは両方を取得することとによって、前記第１のシンボルまたは前記第１のコードのいずれかまたは両方を決定するように構成されている請求項１３記載のデバイス。
【請求項１９】
前記処理ユニットは、
前記基地局に対する前記基地局情報と前記シード情報とに基づいて、
一連の連続するシンボルを有する第２のリソースブロックから選択され、第２のポジショニング機会の間の前記基地局による前記ポジション測定信号の送信のために指定された第２のシンボル、または、
前記コードの予め定められているセットから選択され、前記第２のポジショニング機会の間の前記基地局による前記ポジション測定信号の送信のために指定された第２のコード、
のいずれか、または、両方を決定し、
前記ワイヤレス通信インターフェースを使用して、前記第２のシンボルまたは前記第２のコードのいずれかまたは両方を決定することに基づいて、前記ポジション測定信号の第２の測定を行うようにさらに構成されている請求項１３記載のデバイス。
【請求項２０】
前記処理ユニットは、少なくとも部分的に、少なくとも１つの線形フィードバックシフトレジスタの値を回数シフトすることによって、前記第２のコードを決定するように構成されている請求項１９記載のデバイス。
【請求項２１】
前記処理ユニットは、前記基地局の識別に基づいて、前記少なくとも１つの線形フィードバックシフトレジスタの値をシフトする回数を決定するようにさらに構成されている請求項２０記載のデバイス。
【請求項２２】
前記処理ユニットは、複数のポジショニング機会のそれぞれに対して、前記少なくとも１つの線形フィードバックシフトレジスタの値をシフトする回数を決定するようにさらに構成され、前記少なくとも１つの線形フィードバックシフトレジスタの値をシフトする回数は、前記複数のポジショニング機会のうちの少なくとも２つのポジショニング機会に対して異なる請求項２０記載のデバイス。
【請求項２３】
移動体デバイスにおいて、
ワイヤレス通信ネットワーク中の複数の基地局に対する基地局情報を取得し、前記基地局情報は、前記複数の基地局の各基地局のロケーションと識別子とを含む手段と、
前記複数の基地局のうちの基地局に対するシード情報を取得する手段と、
前記基地局に対する前記基地局情報と前記シード情報とに基づいて、
一連の連続するシンボルを有する第１のリソースブロックから選択され、第１のポジショニング機会の間の前記基地局によるポジション測定信号の送信に対して指定された第１のシンボル、または、
コードの予め定められているセットから選択され、前記第１のポジショニング機会の間の前記基地局による前記ポジション測定信号の送信をエンコードするように指定された第１のコード、
のいずれか、または、両方を決定する手段と、
前記第１のシンボルまたは前記第１のコードのいずれかまたは両方を決定することに基づいて、前記ポジション測定信号の第１の測定を行う手段とを具備するデバイス。
【請求項２４】
前記シード情報を取得する手段は、前記基地局から前記シード情報を受信する手段を備える請求項２３記載のデバイス。
【請求項２５】
前記第１のシンボルまたは前記第１のコードのいずれかまたは両方を決定する手段は、初期状態情報に基づいて、線形フィードバックシフトレジスタに値を入力する手段を備える請求項２３記載のデバイス。
【請求項２６】
前記第１のシンボルまたは前記第１のコードのいずれかまたは両方を決定する手段は、前記シード情報からのデータを方程式に入力し、前記方程式から前記第１のシンボルまたは前記第１のコードのいずれかまたは両方を取得する手段を備える請求項２３記載のデバイス。
【請求項２７】
前記基地局に対する前記基地局情報と前記シード情報とに基づいて、
一連の連続するシンボルを有する第２のリソースブロックから選択され、第２のポジショニング機会の間の前記基地局による前記ポジション測定信号の送信のために指定された第２のシンボル、または、
前記コードの予め定められているセットから選択され、前記第２のポジショニング機会の間の前記基地局による前記ポジション測定信号の送信のために指定された第２のコード、
のいずれか、または、両方を決定する手段と、
前記移動体デバイスを用いて、前記第２のシンボルまたは前記第２のコードのいずれかまたは両方を決定することに基づいて、前記ポジション測定信号の第２の測定を行う手段とをさらに具備する請求項２３記載のデバイス。
【請求項２８】
前記第２のコードを決定する手段は、少なくとも１つの線形フィードバックシフトレジスタの値を回数シフトする手段を備える請求項２７記載のデバイス。
【請求項２９】
前記基地局の識別に基づいて、前記少なくとも１つの線形フィードバックシフトレジスタの値をシフトする回数を決定する手段をさらに具備する請求項２８記載のデバイス。
【請求項３０】
複数のポジショニング機会のそれぞれに対して、前記少なくとも１つの線形フィードバックシフトレジスタの値をシフトする回数を決定する手段をさらに具備し、前記少なくとも１つの線形フィードバックシフトレジスタの値をシフトする回数は、前記複数のポジショニング機会のうちの少なくとも２つのポジショニング機会に対して異なる請求項２８記載のデバイス。
【請求項３１】
ワイヤレス通信ネットワーク中の移動体デバイスに基準信号を取得させる組み込まれている命令を有する非一時的コンピュータ読取可能媒体において、
前記命令は、
前記ワイヤレス通信ネットワーク中の複数の基地局に対する基地局情報を取得し、前記基地局情報は、前記複数の基地局の各基地局のロケーションと識別子とを含み、
前記複数の基地局のうちの基地局に対するシード情報を取得し、
前記基地局に対する前記基地局情報と前記シード情報とに基づいて、
一連の連続するシンボルを有する第１のリソースブロックから選択され、第１のポジショニング機会の間の前記基地局によるポジション測定信号の送信に対して指定された第１のシンボル、または、
コードの予め定められているセットから選択され、前記第１のポジショニング機会の間の前記基地局による前記ポジション測定信号の送信をエンコードするように指定された第１のコード、
のいずれか、または、両方を決定し、
前記第１のシンボルまたは前記第１のコードのいずれかまたは両方を決定することに基づいて、前記ポジション測定信号の第１の測定を行うためのコンピュータコードを含む非一時的コンピュータ読取可能媒体。
【請求項３２】
ワイヤレス通信ネットワークの基地局から基準信号を送信する方法において、
第１のポジショニング機会の間にポジション測定信号を送信し、
前記ポジション測定信号は、一連の連続するシンボルを有する第１のリソースブロックの第１のシンボルの間に送信され、
前記ポジション測定信号は、コードの予め定められているセットの第１のコードでエンコードされることと、
第２のポジショニング機会の間に前記ポジション測定信号を送信し、
前記ポジション測定信号は、一連の連続するシンボルを有する第２のリソースブロックの第２のシンボルの間に送信され、
前記ポジション測定信号は、前記コードの予め定められているセットの第２のコードでエンコードされることとを含み、
前記第２のシンボルは、前記第２のリソースブロック内で、前記第１のリソースブロック内の前記第１のシンボルの順序と異なる順序を有し、または、
前記第２のコードは、前記第１のコードと異なり、または、
両方である方法。
【請求項３３】
基地局において、
ワイヤレス通信インターフェースと、
メモリと、
前記ワイヤレス通信インターフェースおよび前記メモリと通信可能に結合されている処理ユニットとを具備し、
前記処理ユニットは、
前記ワイヤレス通信インターフェースを使用して、第１のポジショニング機会の間にポジション測定信号を送信し、
前記ポジション測定信号は、一連の連続するシンボルを有する第１のリソースブロックの第１のシンボルの間に送信され、
前記ポジション測定信号は、コードの予め定められているセットの第１のコードでエンコードされ、
前記ワイヤレス通信インターフェースを使用して、第２のポジショニング機会の間に前記ポジション測定信号を送信し、
前記ポジション測定信号は、一連の連続するシンボルを有する第２のリソースブロックの第２のシンボルの間に送信され、
前記ポジション測定信号は、前記コードの予め定められているセットの第２のコードでエンコードされるように構成され、
前記第２のシンボルは、前記第２のリソースブロック内で、前記第１のリソースブロック内の前記第１のシンボルの順序と異なる順序を有し、または、
前記第２のコードは、前記第１のコードと異なり、または、
両方である基地局。
【請求項３４】
デバイスにおいて、
第１のポジショニング機会の間にポジション測定信号を送信し、
前記ポジション測定信号は、一連の連続するシンボルを有する第１のリソースブロックの第１のシンボルの間に送信され、
前記ポジション測定信号は、コードの予め定められているセットの第１のコードでエンコードされる手段と、
第２のポジショニング機会の間に前記ポジション測定信号を送信し、
前記ポジション測定信号は、一連の連続するシンボルを有する第２のリソースブロックの第２のシンボルの間に送信され、
前記ポジション測定信号は、前記コードの予め定められているセットの第２のコードでエンコードされる手段とを具備し、
前記第２のシンボルは、前記第２のリソースブロック内で、前記第１のリソースブロック内の前記第１のシンボルの順序と異なる順序を有し、または、
前記第２のコードは、前記第１のコードと異なり、または、
両方であるデバイス。
【請求項３５】
ワイヤレス通信ネットワークの基地局に、基準信号を送信させる組み込まれている命令を有する非一時的コンピュータ読取可能媒体において、
前記命令は、
第１のポジショニング機会の間にポジション測定信号を送信し、
前記ポジション測定信号は、一連の連続するシンボルを有する第１のリソースブロックの第１のシンボルの間に送信され、
前記ポジション測定信号は、コードの予め定められているセットの第１のコードでエンコードされ、
第２のポジショニング機会の間に前記ポジション測定信号を送信し、
前記ポジション測定信号は、一連の連続するシンボルを有する第２のリソースブロックの第２のシンボルの間に送信され、
前記ポジション測定信号は、前記コードの予め定められているセットの第２のコードでエンコードされるためのコンピュータコードを含み、
前記第２のシンボルは、前記第２のリソースブロック内で、前記第１のリソースブロック内の前記第１のシンボルの順序と異なる順序を有し、または、
前記第２のコードは、前記第１のコードと異なり、または、
両方である非一時的コンピュータ読取可能媒体。
【発明の詳細な説明】
【分野】
【０００１】
［０００１］
ここで開示する主題事項は、電子デバイスに関連し、より具体的には、第５世代（５Ｇ）ワイヤレスネットワークを使用して移動体デバイスのロケーションをサポートするのに使用するための方法および装置に関連する。
【情報】
【０００２】
［０００２］
ワイヤレスネットワークにアクセスしている移動体デバイスのロケーションまたはポジションを取得することは、例えば、緊急呼び出し、パーソナルナビゲーション、アセット追跡、友人または家族メンバーの位置確認等を含む、多くの用途で有用であるかもしれない。既存のポジション方法は、衛星ビークル（ＳＶ）と、基地局およびアクセスポイントのようなワイヤレスネットワーク中の地上無線ソースとを含む、さまざまなデバイスから送信される無線信号を測定することに基づく方法を含んでいる。新たな第５世代（５Ｇ）ワイヤレスネットワークのための標準化は、さまざまなポジショニング方法に対するサポートを含むことが予想され、これは、ロングタームエボリューション（ＬＴＥ（登録商標））ワイヤレスネットワークがポジション決定のためにポジショニング基準信号（ＰＲＳ）および／またはセル特有基準信号（ＣＲＳ）を現在利用しているのと同様の方法で、基地局によって送信される基準信号を利用するかもしれない。問題なことに、予測可能な方法でのこれらの信号の送信は、プロプライエタリな基地局情報（例えば、基地局ＩＤおよびロケーションを決定すること）を容易に決定可能にするかもしれない。
【概要】
【０００３】
［０００３］
ここで説明する実施形態は、周期的に送信される基準信号のある特性をプロプライエタリにして、信号の無認可の検出および利用を防ぐのを助けることによって、これらのおよび他の懸念事項に対処する。より具体的には、基地局は、基準信号が送信される時間をおよび／または信号をエンコードするコードを調節することができる。これらの調節は、方程式またはアルゴリズムに基づいていてもよく、方程式またはアルゴリズムは、必要に応じて特定の移動体デバイスと共有できる。
【０００４】
［０００４］
説明にしたがうと、ワイヤレス通信ネットワーク中の移動体デバイスを用いて基準信号を取得する例示的な方法は、移動体デバイスにおいて、ワイヤレス通信ネットワーク中の複数の基地局に対する基地局情報を取得し、基地局情報は、複数の基地局の各基地局のロケーションと識別子とを含むことを含んでいる。方法は、移動体デバイスを用いて、複数の基地局のうちの基地局に対するシード情報を取得することと、基地局に対する基地局情報とシード情報とに基づいて、一連の連続するシンボルを有する第１のリソースブロックから選択され、第１のポジショニング機会の間の基地局によるポジション測定信号の送信に対して指定された第１のシンボル、または、コードの予め定められているセットから選択され、第１のポジショニング機会の間の基地局によるポジション測定信号の送信をエンコードするように指定された第１のコード、のいずれか、または、両方を決定することをさらに含んでいる。方法は、移動体デバイスを用いて、第１のシンボルまたは第１のコードのいずれかまたは両方を決定することに基づいて、ポジション測定信号の第１の測定を行うことも含んでいる。
【０００５】
［０００５］
方法の実施形態は、以下の特徴のうちの１つ以上を含んでいてもよい。シード情報は、基地局によって後に送信されるワイヤレスポジショニング測定信号の少なくとも一部分の、シンボル期間、コード、または、両方を決定できる時間を示しているタイムスタンプを含んでいてもよい。シード情報を取得することは、基地局からシード情報を受信することを含んでいてもよい。シード情報は、初期状態情報を含んでいてもよい。第１のシンボルまたは第１のコードのいずれかまたは両方を決定することは、初期状態情報に基づいて、線形フィードバックシフトレジスタに値を入力することを含んでいてもよい。第１のシンボルまたは第１のコードのいずれかまたは両方を決定することは、シード情報からのデータを方程式に入力することと、方程式から第１のシンボルまたは第１のコードのいずれかまたは両方を取得することとを含んでいてもよい。方法は、基地局に対する基地局情報とシード情報とに基づいて、一連の連続するシンボルを有する第２のリソースブロックから選択され、第２のポジショニング機会の間の基地局によるポジション測定信号の送信のために指定された第２のシンボル、または、コードの予め定められているセットから選択され、第２のポジショニング機会の間の基地局によるポジション測定信号の送信のために指定された第２のコード、のいずれか、または、両方を決定することと、移動体デバイスを用いて、第２のシンボルまたは第２のコードのいずれかまたは両方を決定することに基づいて、ポジション測定信号の第２の測定を行うこととをさらに含んでいてもよい。第２のリソースブロック内の第２のシンボルのポジションは、第１のリソースブロック内の第１のシンボルのポジションと異なっていてもよい。第２のコードは、第１のコードと異なっていてもよい。第２のコードを決定することは、少なくとも１つの線形フィードバックシフトレジスタの値を回数シフトすることを含んでいてもよい。方法は、基地局の識別に基づいて、少なくとも１つの線形フィードバックシフトレジスタの値をシフトする回数を決定することをさらに含んでいてもよい。方法は、移動体デバイスを用いて、複数のポジショニング機会のそれぞれに対して、少なくとも１つの線形フィードバックシフトレジスタの値をシフトする回数を決定することをさらに含んでいてもよく、少なくとも１つの線形フィードバックシフトレジスタの値をシフトする回数は、複数のポジショニング機会のうちの少なくとも２つのポジショニング機会に対して異なる。
【０００６】
［０００６］
説明にしたがうと、例示的なデバイスは、ワイヤレス通信インターフェースと、メモリと、ワイヤレス通信インターフェースおよびメモリと通信可能に結合されている処理ユニットとを備えている。処理ユニットは、ワイヤレス通信ネットワーク中の複数の基地局に対する基地局情報を取得するように構成されており、基地局情報は、複数の基地局の各基地局のロケーションと識別子とを含んでいる。処理ユニットは、複数の基地局のうちの基地局に対するシード情報を取得し、基地局に対する基地局情報とシード情報とに基づいて、一連の連続するシンボルを有する第１のリソースブロックから選択され、第１のポジショニング機会の間の基地局によるポジション測定信号の送信に対して指定された第１のシンボル、または、コードの予め定められているセットから選択され、第１のポジショニング機会の間の基地局によるポジション測定信号の送信をエンコードするように指定された第１のコード、のいずれか、または、両方を決定するようにさらに構成されている。処理ユニットはまた、ワイヤレス通信インターフェースを使用して、第１のシンボルまたは第１のコードのいずれかまたは両方を決定することに基づいて、ポジション測定信号の第１の測定を行うように構成されている。
【０００７】
［０００７］
デバイスの実施形態は、以下の特徴のうちの１つ以上をさらに含んでいてもよい。処理ユニットは、シード情報から、基地局によって後に送信されるワイヤレスポジショニング測定信号の少なくとも一部分の、シンボル期間、コード、または、両方を決定できる時間を示しているタイムスタンプを取得するように構成されていてもよい。処理ユニットは、少なくとも部分的に、基地局からシード情報を受信することによって、シード情報を取得するように構成されていてもよい。処理ユニットは、シード情報を使用して、初期状態情報を決定するように構成されていてもよい。処理ユニットは、初期状態情報に基づいて、少なくとも部分的に、線形フィードバックシフトレジスタに値を入力することによって、第１のシンボルまたは第１のコードのいずれかまたは両方を決定するように構成されていてもよい。処理ユニットは、少なくとも部分的に、シード情報からのデータを方程式に入力することと、方程式から第１のシンボルまたは第１のコードのいずれかまたは両方を取得することとによって、第１のシンボルまたは第１のコードのいずれかまたは両方を決定するように構成されていてもよい。処理ユニットは、基地局に対する基地局情報とシード情報とに基づいて、一連の連続するシンボルを有する第２のリソースブロックから選択され、第２のポジショニング機会の間の基地局によるポジション測定信号の送信のために指定された第２のシンボル、または、コードの予め定められているセットから選択され、第２のポジショニング機会の間の基地局によるポジション測定信号の送信のために指定された第２のコード、のいずれか、または、両方を決定し、ワイヤレス通信インターフェースを使用して、第２のシンボルまたは第２のコードのいずれかまたは両方を決定することに基づいて、ポジション測定信号の第２の測定を行うようにさらに構成されていてもよい。処理ユニットは、少なくとも部分的に、少なくとも１つの線形フィードバックシフトレジスタの値を回数シフトすることによって、第２のコードを決定するように構成されていてもよい。処理ユニットは、基地局の識別に基づいて、少なくとも１つの線形フィードバックシフトレジスタの値をシフトする回数を決定するようにさらに構成されていてもよい。処理ユニットは、複数のポジショニング機会のそれぞれに対して、少なくとも１つの線形フィードバックシフトレジスタの値をシフトする回数を決定するようにさらに構成され、少なくとも１つの線形フィードバックシフトレジスタの値をシフトする回数は、複数のポジショニング機会のうちの少なくとも２つのポジショニング機会に対して異なる。
【０００８】
［０００８］
説明にしたがうと、例示的な移動体デバイスは、ワイヤレス通信ネットワーク中の複数の基地局に対する基地局情報を取得し、基地局情報は、複数の基地局の各基地局のロケーションと識別子とを含む手段を備えている。移動体デバイスは、複数の基地局のうちの基地局に対するシード情報を取得する手段と、基地局に対する基地局情報とシード情報とに基づいて、一連の連続するシンボルを有する第１のリソースブロックから選択され、第１のポジショニング機会の間の基地局によるポジション測定信号の送信に対して指定された第１のシンボル、または、コードの予め定められているセットから選択され、第１のポジショニング機会の間の基地局によるポジション測定信号の送信をエンコードするように指定された第１のコード、のいずれか、または、両方を決定する手段とをさらに備えていてもよい。移動体デバイスは、第１のシンボルまたは第１のコードのいずれかまたは両方を決定することに基づいて、ポジション測定信号の第１の測定を行う手段をさらに備えていてもよい。
【０００９】
［０００９］
移動体デバイスの実施形態は、以下の特徴のうちの１つ以上を含んでいてもよい。シード情報を取得する手段は、基地局からシード情報を受信する手段を備えていてもよい。第１のシンボルまたは第１のコードのいずれかまたは両方を決定する手段は、初期状態情報に基づいて、線形フィードバックシフトレジスタに値を入力する手段を備えていてもよい。第１のシンボルまたは第１のコードのいずれかまたは両方を決定する手段は、シード情報からのデータを方程式に入力し、方程式から第１のシンボルまたは第１のコードのいずれかまたは両方を取得する手段を備えていてもよい。移動体デバイスは、基地局に対する基地局情報とシード情報とに基づいて、一連の連続するシンボルを有する第２のリソースブロックから選択され、第２のポジショニング機会の間の基地局によるポジション測定信号の送信のために指定された第２のシンボル、または、コードの予め定められているセットから選択され、第２のポジショニング機会の間の基地局によるポジション測定信号の送信のために指定された第２のコード、のいずれか、または、両方を決定する手段と、移動体デバイスを用いて、第２のシンボルまたは第２のコードのいずれかまたは両方を決定することに基づいて、ポジション測定信号の第２の測定を行う手段とをさらに備えていてもよい。第２のコードを決定する手段は、少なくとも１つの線形フィードバックシフトレジスタの値を回数シフトする手段をさらに備えていてもよい。移動体デバイスは、基地局の識別に基づいて、少なくとも１つの線形フィードバックシフトレジスタの値をシフトする回数を決定する手段をさらに備えていてもよい。移動体デバイスは、複数のポジショニング機会のそれぞれに対して、少なくとも１つの線形フィードバックシフトレジスタの値をシフトする回数を決定する手段をさらに備え、少なくとも１つの線形フィードバックシフトレジスタの値をシフトする回数は、複数のポジショニング機会のうちの少なくとも２つのポジショニング機会に対して異なる。
【００１０】
［００１０］
本説明にしたがうと、例示的な非一時的コンピュータ読取可能媒体は、ワイヤレス通信ネットワーク中の移動体デバイスに基準信号を取得させる組み込まれている命令を有する。命令は、ワイヤレス通信ネットワーク中の複数の基地局に対する基地局情報を取得し、基地局情報は、複数の基地局の各基地局のロケーションと識別子とを含み、複数の基地局のうちの基地局に対するシード情報を取得し、基地局に対する基地局情報とシード情報とに基づいて、一連の連続するシンボルを有する第１のリソースブロックから選択され、第１のポジショニング機会の間の基地局によるポジション測定信号の送信に対して指定された第１のシンボル、または、コードの予め定められているセットから選択され、第１のポジショニング機会の間の基地局によるポジション測定信号の送信をエンコードするように指定された第１のコード、のいずれか、または、両方を決定するためのコンピュータコードを含んでいる。命令は、第１のシンボルまたは第１のコードのいずれかまたは両方を決定することに基づいて、ポジション測定信号の第１の測定を行うためのコンピュータコードも含んでいる。
【００１１】
［００１１］
説明にしたがうと、ワイヤレス通信ネットワークの基地局から基準信号を送信する例示的な方法は、第１のポジショニング機会の間にポジション測定信号を送信し、ポジション測定信号は、一連の連続するシンボルを有する第１のリソースブロックの第１のシンボルの間に送信され、ポジション測定信号は、コードの予め定められているセットの第１のコードでエンコードされることを含んでいる。方法は、第２のポジショニング機会の間にポジション測定信号を送信し、ポジション測定信号は、一連の連続するシンボルを有する第２のリソースブロックの第２のシンボルの間に送信され、ポジション測定信号は、コードの予め定められているセットの第２のコードでエンコードされることを含んでいる。さらに、第２のシンボルは、第２のリソースブロック内で、第１のリソースブロック内の第１のシンボルの順序と異なる順序を有し、または、第２のコードは、第１のコードと異なり、または、両方である。
【００１２】
［００１２］
説明にしたがうと、例示的な基地局は、ワイヤレス通信インターフェースと、メモリと、ワイヤレス通信インターフェースおよびメモリと通信可能に結合されている処理ユニットとを備えている。処理ユニットは、ワイヤレス通信インターフェースを使用して、第１のポジショニング機会の間にポジション測定信号を送信し、ポジション測定信号は、一連の連続するシンボルを有する第１のリソースブロックの第１のシンボルの間に送信され、ポジション測定信号は、コードの予め定められているセットの第１のコードでエンコードされるように構成されている。処理ユニットは、ワイヤレス通信インターフェースを使用して、第２のポジショニング機会の間にポジション測定信号を送信し、ポジション測定信号は、一連の連続するシンボルを有する第２のリソースブロックの第２のシンボルの間に送信され、ポジション測定信号は、コードの予め定められているセットの第２のコードでエンコードされるように構成されている。さらに、第２のシンボルは、第２のリソースブロック内で、第１のリソースブロック内の第１のシンボルの順序と異なる順序を有し、または、第２のコードは、第１のコードと異なり、または、両方である。
【００１３】
［００１３］
説明にしたがうと、例示的なデバイスは、第１のポジショニング機会の間にポジション測定信号を送信し、ポジション測定信号は、一連の連続するシンボルを有する第１のリソースブロックの第１のシンボルの間に送信され、ポジション測定信号は、コードの予め定められているセットの第１のコードでエンコードされる手段を備えている。デバイスはまた、第２のポジショニング機会の間にポジション測定信号を送信し、ポジション測定信号は、一連の連続するシンボルを有する第２のリソースブロックの第２のシンボルの間に送信され、ポジション測定信号は、コードの予め定められているセットの第２のコードでエンコードされる手段を備えている。さらに、第２のシンボルは、第２のリソースブロック内で、第１のリソースブロック内の第１のシンボルの順序と異なる順序を有し、または、第２のコードは、第１のコードと異なり、または、両方である。
【００１４】
［００１４］
説明にしたがうと、例示的な非一時的コンピュータ読取可能媒体は、ワイヤレス通信ネットワークの基地局に、基準信号を送信させる組み込まれている命令を有する。命令は、第１のポジショニング機会の間にポジション測定信号を送信し、ポジション測定信号は、一連の連続するシンボルを有する第１のリソースブロックの第１のシンボルの間に送信され、ポジション測定信号は、コードの予め定められているセットの第１のコードでエンコードされるためのコンピュータコードを含んでいる。命令は、第２のポジショニング機会の間にポジション測定信号を送信し、ポジション測定信号は、一連の連続するシンボルを有する第２のリソースブロックの第２のシンボルの間に送信され、ポジション測定信号は、コードの予め定められているセットの第２のコードでエンコードされるためのコンピュータコードをさらに含んでいる。第２のシンボルは、第２のリソースブロック内で、第１のリソースブロック内の第１のシンボルの順序と異なる順序を有し、または、第２のコードは、第１のコードと異なり、または、両方である。
【図面の簡単な説明】
【００１５】
［００１５］
非限定的で非網羅的な態様を、以下の図を参照して説明する。
【図１】［００１６］  図１は、実施形態にしたがう、５Ｇネットワークを利用して、ユーザ機器（ＵＥ）に対するポジションを決定してもよい通信システムのダイヤグラムである。
【図２】［００１７］  図２は、５Ｇにおいて使用されるフレーム／サブフレーム構造と類似しているかもしれない、ＰＲＳポジショニング機会を有するＬＴＥサブフレームシーケンスの構造の図である。
【図３Ａ】［００１８］  図３Ａは、さまざまな実施形態において、シンボルホッピングがどのように実現されるかの図である。
【図３Ｂ】図３Ｂは、さまざまな実施形態において、シンボルホッピングがどのように実現でされるかの図である。
【図３Ｃ】図３Ｃは、さまざまな実施形態において、シンボルホッピングがどのように実現されるかの図である。
【図４】［００１９］  図４は、実施形態にしたがう、ロケーションサーバと、ＵＥと、基地局との間の対話を図示するスイムレーンダイヤグラムである。
【図５】［００２０］  図５は、実施形態にしたがう、ワイヤレス通信ネットワーク中の移動体デバイスを用いて基準信号を取得する方法を図示するフローダイヤグラムである。
【図６】［００２１］  図６は、実施形態にしたがう、ワイヤレス通信ネットワークの基地局から基準信号を送信する方法を図示するフローダイヤグラムである。
【図７】［００２２］  図７は、ＵＥの実施形態である。
【図８】［００２３］  図８は、通信ネットワークサーバの実施形態である。
【図９】［００２４］  図９は、基地局の実施形態である。
【００１６】
［００２５］
さまざまな図における同様の参照番号およびシンボルは、ある特定の例示的なインプリメンテーションにしたがう、同様の要素を示している。加えて、要素の複数のインスタンスは、ハイフンを伴う要素に対する第１の数および第２の数にしたがうことによって示されているかもしれない。例えば、要素１１０の複数のインスタンスは、１１０−１、１１０−２、１１０−３等として示されているかもしれない。第１の数のみを使用してこのような要素を指すとき、要素の任意のインスタンスが理解されるべきである（例えば、前の例における要素１１０は、要素１１０−１、１１０−２、および、１１０−３を指している）。
【詳細な説明】
【００１７】
［００２６］
ユーザ機器（ＵＥ）のロケーションを決定するためのいくつかの例示的な技術がここに提示され、技術は、ＵＥ（例えば、移動体デバイスまたは移動局）、ロケーションサーバ（ＬＳ）、基地局、および／または、他のデバイスにおいて実現してもよい。これらの技術は、第３世代パートナーシッププロジェクト（３ＧＰＰ（登録商標））、オープンモバイルアライアンス（ＯＭＡ）、３ＧＰＰロングタームエボリューション（ＬＴＥ）ポジショニングプロトコル（ＬＰＰ）および／またはＯＭＡ  ＬＰＰ拡張（ＬＰＰｅ）、Ｗｉ−Ｆｉ（登録商標）、グローバルナビゲーション衛星システム（ＧＮＳＳ）、ならびに、これらに類するものを含む、さまざまなテクノロジーおよび／または標準規格を利用するさまざまな用途において利用できる。
【００１８】
［００２７］
ユーザ機器（ＵＥ）は、移動体電話機、スマートフォン、タブレットまたは他の移動体コンピュータ、ポータブルゲームデバイス、パーソナルメディアプレーヤ、パーソナルナビゲーションデバイス、ウェアラブルデバイス、車載デバイス、あるいは、他の電子デバイスのような移動体デバイスを含んでいてもよい。ＵＥのポジション決定は、（例えば、ＵＥによって実行されるナビゲーションアプリケーションを介した）ナビゲーションの間、緊急応答（例えば、Ｅ９１１）等を含む、多種多様なシナリオにおいて、ＵＥおよび／または、他のエンティティにとって有用であることがある。ＵＥのポジショニングは、衛星ベースの手段（例えば、グローバルポジショニングシステム（ＧＰＳ））または地上手段によって行われてもよい。
【００１９】
［００２８］
セルラネットワークにおけるＵＥの地上ポジショニングに対して、アドバンストフォワードリンク三辺測量（ＡＦＬＴ）および観測到達時間差（ＯＴＤＯＡ）のような技術は、しばしば、「ＵＥ支援」モードで動作し、基地局によって送信される基準信号（例えば、ＰＲＳ、ＣＲＳ等）の測定がＵＥによってなされ、その後、ロケーションサーバに提供される。次いで、ロケーションサーバは、測定と基地局の既知のロケーションとに基づいて、ＵＥのポジションを計算する。これらの技術は、ＵＥ自体よりもむしろ、ロケーションサーバがＵＥのポジションを計算することを要求することから、これらのポジショニング技術は、車またはセル電話機ナビゲーションのような用途では頻繁に使用されず、これらは、代わりに、典型的には衛星ベースのポジショニングに依存する。
【００２０】
［００２９］
セルラネットワークを使用するポジショニングの広範な採用に対する１つの障害は、ＵＥによる（典型的には、基地局アルマナック（ＢＳＡ）として呼ばれるものに記憶される）基地局の既知のロケーションへのアクセスである。ＢＳＡの暗号化された形態をＵＥに提供できて、基準信号の測定に基づいてそれら自体のロケーションを決定するためにＵＥが使用できるようにしたとしても、基地局によるこれらの信号の送信は、この情報をクラウドソーシングまたはウォードライビングに潜在的にアクセス可能にし、本質的に、フィールド内観測に基づいてＢＳＡを発生させることを可能にする。
【００２１】
［００３０］
ここで説明する実施形態は、周期的に送信される基準信号のある特性をプロプライエタリにすることによって、これらのおよび他の懸念事項に対処する。より具体的には、基地局は、基準信号が送信される時間および／または信号をエンコードするコードを調節することができる。これらの調節は、必要に応じて、認可されたＵＥと共有できる方程式またはアルゴリズムに基づいていてもよい。したがって、実施形態にしたがうと、方程式またはアルゴリズムは、暗号化され、認可されたＵＥと（ＢＳＡとともに）共有することができる一方で、認可されていないＵＥによるウォードライビングまたはクラウドソーシングからＢＳＡを導出することは、はるかに困難になるであろう。さらに、方程式またはアルゴリズムを望まれるように更新させて、ＢＳＡ情報が確実に保護されたままにすることを助けることができる。さらに、５Ｇワイヤレスネットワークのための基準信号が依然として定義されていることから、５Ｇ標準規格は、これらの信号がこのような保護をネイティブに含むことを可能にするかもしれない。
【００２２】
［００３１］
ここで説明する実施形態は、５Ｇセルラネットワークにおいて「ポジション測定信号」を利用するが、実施形態はこのように限定されないことに留意されたい。ここで説明する実施形態は、（ＰＲＳ、ＣＲＳ、追跡基準信号（ＴＲＳ）等のような既存の基準信号を含む）他の基準信号および他の通信ネットワークに適用してもよい。当業者は、ここで説明するものを超えるさまざまな用途を理解するであろう。
【００２３】
［００３２］
図１は、実施形態にしたがう、基地局によるポジション測定信号の送信に基づくポジショニング方法（例えば、ＯＴＤＯＡ）を使用し、５Ｇネットワークを利用して、ＵＥ１０５のポジションを決定するかもしれない通信システム１００のダイヤグラムである。ここで、通信システム１００は、ＵＥ１０５と、次世代（ＮＧ）無線アクセスネットワーク（ＲＡＮ）（ＮＧ−ＲＡＮ）１３５および５Ｇコアネットワーク（５ＧＣ）１４０を含む５Ｇネットワークとを含み、これらは、ＵＥポジショニングを提供するとともに、ＵＥ１０５にデータおよび音声通信を提供してもよい。５Ｇネットワークは、新たな無線（ＮＲ）ネットワークとして呼ばれることがあり、ＮＧ−ＲＡＮ１３５は、５Ｇ  ＲＡＮまたはＮＲ  ＲＡＮとして呼ばれることがあり、５ＧＣ１４０は、ＮＧコアネットワーク（ＮＧＣ）として呼ばれることがある。ＮＧ−ＲＡＮおよび５ＧＣの標準化は、３ＧＰＰで進行中である。したがって、ＮＧ−ＲＡＮ１３５および５ＧＣ１４０は、３ＧＰＰからの５Ｇサポートに対する現在または将来の標準規格に適合してもよい。通信システム１００は、ＧＮＳＳ衛星ビークル（ＳＶ）１９０からの情報をさらに利用してもよい。通信システム１００の追加のコンポーネントについて以下で説明する。通信システム１００は、追加または代替のコンポーネントを含んでいてもよいことが理解されるだろう。
【００２４】
［００３３］
図１は、さまざまなコンポーネントの一般化された図のみを提供し、これらのいずれかまたはすべてを適宜利用してもよく、これらのそれぞれを必要に応じて複製してもよいことに留意されたい。具体的には、１つのＵＥ１０５のみが図示されているが、多くのＵＥ（例えば、数百、数千、数百万等）が通信システム１００を利用してもよいことが理解されるだろう。同様に、通信システム１００は、より多い（または、より少ない）数のＳＶ１９０、ｇＮＢ１１０、ｎｇ−ｅＮＢ１１４、アクセスおよびモビリティ管理機能（ＡＭＦ）１１５、外部クライアント１３０、および／または、他のコンポーネントを含んでいてもよい。通信システム１００中のさまざまなコンポーネントを接続する図示した接続は、追加の（中間）コンポーネント、直接または間接の物理的および／またはワイヤレス接続、ならびに／あるいは、追加のネットワークを含んでいてもよい、データおよびシグナリング接続を含んでいる。さらに、コンポーネントは、所望の機能性に依存して、再構成し、組み合わせ、分離し、置換し、および／または、省略してもよい。
【００２５】
［００３４］
ＵＥ１０５は、デバイス、移動体デバイス、ワイヤレスデバイス、移動体端末、端末、移動局（ＭＳ）、セキュアユーザプレーンロケーション（ＳＵＰＬ）可能端末（ＳＥＴ）、または、他の何らかの名前を備え、ならびに／あるいは、これらとして呼ばれることがある。さらに、上述のように、ＵＥ１０５は、セル電話機、スマートフォン、ラップトップ、タブレット、パーソナルデジタルアシスタント（ＰＤＡ）、追跡デバイス、ナビゲーションデバイス、インターネットオブシングス（ＩｏＴ）デバイス、ウェアラブルデバイス、組み込みモデム、自動車または他の車両コンピューティングデバイス、あるいは、他の何らかのポータブルまたは移動可能デバイスを含む、さまざまなデバイスのいずれかに対応していてもよい。典型的には、必ずしもそうではないが、ＵＥ１０５は、移動体通信のためのグローバルシステム（ＧＳＭ（登録商標））、コード分割多元接続（ＣＤＭＡ）、広帯域ＣＤＭＡ（ＷＣＤＭＡ（登録商標））、ロングタームエボリューション（ＬＴＥ）、高レートパケットデータ（ＨＲＰＤ）、ＩＥＥＥ８０２．１１Ｗｉ−Ｆｉ（Ｗｉ−Ｆｉとしても呼ばれる）、Ｂｌｕｅｔｏｏｔｈ（登録商標）（ＢＴ）、マイクロ波アクセスのための世界相互運用（ＷｉＭＡＸ）、（例えば、ＮＧ−ＲＡＮ１３５および５ＧＣ１４０を使用する）５Ｇ新たな無線（ＮＲ）等を使用するような、１つ以上の無線アクセステクノロジー（ＲＡＴ）を使用して、ワイヤレス通信をサポートしてもよい。ＵＥ１０５はまた、例えば、デジタル加入者線（ＤＳＬ）またはパケットケーブルを使用して、他のネットワーク（例えば、インターネット）に接続していてもよいワイヤレスローカルエリアネットワーク（ＷＬＡＮ）を使用して、ワイヤレス通信をサポートしてもよい。これらのＲＡＴのうちの１つ以上の使用は、（例えば、図１中に示されていない５ＧＣ１４０の要素を介して、または、場合によってはゲートウェイモバイルロケーションセンター（ＧＭＬＣ）１２５を介して）ＵＥ１０５が外部クライアント１３０と通信することを可能にしてもよく、および／または、（例えば、ＧＭＬＣ１２５を介して）外部クライアント１３０がＵＥ１０５に関するロケーション情報を受信することを可能にしてもよい。
【００２６】
［００３５］
ＵＥ１０５は、単一のエンティティを構成してもよく、あるいは、オーディオ、ビデオおよび／またはデータＩ／Ｏデバイスおよび／または身体センサ、ならびに、別個のワイヤラインまたはワイヤレスモデムを、ユーザが用いるかもしれないパーソナルエリアネットワークにおいてのような、複数のエンティティを構成してもよい。ＵＥ１０５のロケーションの推定は、ロケーション、ロケーション推定、ロケーション決定、決定、ポジション、ポジション推定またはポジション決定として呼ばれることがあり、地理的であってもよく、したがって、高度成分（例えば、平均海水面を越える高さ、地表面を越える高さまたは地表面より低い深さ、フロアレベルまたは地下レベル）を含んでいてもよく、または、含んでいなくてもよい、ＵＥ１０５に対するロケーション座標（例えば、緯度および経度）を提供する。代替的に、ＵＥ１０５のロケーションは、都市ロケーションとして（例えば、郵便の住所、あるいは、特定の部屋またはフロアのような、建物中の何らかのポイントまたは小さなエリアの指定として）表されてもよい。ＵＥ１０５のロケーションはまた、ＵＥ１０５が何らかの確率または信頼性レベル（例えば、６７％、９５％等）で位置付けられると予想される（地理的または都市形態のいずれかで定義される）エリアまたはボリュームとして表されてもよい。ＵＥ１０５のロケーションはさらに、相対ロケーションであってもよく、相対ロケーションは、例えば、地理的に、都市用語的に、あるいは、マップ、フロアプランまたは建物プラン上に示された、ポイント、エリア、または、ボリュームを参照することによって定義されているかもしれない、既知のロケーションにおける何らかの原点に対して定義された、距離および方向または相対Ｘ、Ｙ（およびＺ）座標を含んでいる。ここに含まれる説明において、ロケーションという用語の使用は、別段の指示がない限り、これらの変形のいずれかを含んでいてもよい。
【００２７】
［００３６］
ＮＧ−ＲＡＮ１３５中の基地局は、より典型的にはｇＮＢとして呼ばれるＮＲノードＢを備えていてもよい。図１では、３つのｇＮＢ：ｇＮＢ１１０−１、１１０−２、および、１１０−３が示されており、これらは、ここでは集合的かつ総称的にｇＮＢ１１０として呼ばれる。しかしながら、典型的なＮＧ  ＲＡＮ１３５は、数十、数百、または、数千ものｇＮＢ１１０を備えることができる。ＮＧ−ＲＡＮ１３５中のｇＮＢ１１０のペアは、互いに接続されていてもよい（図１中には図示せず）。５Ｇネットワークへのアクセスは、ＵＥ１０５とｇＮＢ１１０のうちの１つ以上との間のワイヤレス通信を介してＵＥ１０５に提供され、これは、５Ｇ（ＮＲとしても呼ばれる）を使用してＵＥ１０５の代わりに５ＧＣ１４０へのワイヤレス通信アクセスを提供してもよい。図１では、ＵＥ１０５に対する担当ｇＮＢはｇＮＢ１１０−１であると仮定されているが、他のｇＮＢ（例えば、ｇＮＢ１１０−２および／またはｇＮＢ１１０−３）は、ＵＥ１０５が別のロケーションに移動する場合、担当ｇＮＢとして機能してもよく、または、２次的なｇＮＢとして機能して、追加のスループットおよび帯域幅をＵＥ１０５に提供してもよい。
【００２８】
［００３７］
図１中に示されるＮＧ−ＲＡＮ１３５中の基地局（ＢＳ）はまた、または、代わりに、ｎｇ−ｅＮＢ１１４としても呼ばれる次世代進化型ノードＢを含んでいてもよい。Ｎｇ−ｅＮＢ１１４は、例えば、直接的に、または、他のｇＮＢ１１０および／または他のｎｇ−ｅＮＢを介して間接的に、ＮＧ−ＲＡＮ１３５中の１つ以上のｇＮＢ１１０に接続されていてもよい（図１中に図示せず）。ｎｇ−ｅＮＢ１１４は、ＬＴＥワイヤレスアクセスおよび／または進化型ＬＴＥ（ｅＬＴＥ）ワイヤレスアクセスをＵＥ１０５に提供してもよい。図１中のいくつかのｇＮＢ１１０（例えば、ｇＮＢ１１０−２）および／またはｎｇ−ｅＮＢ１１４は、基準信号（例えば、ここで説明するポジショニング測定信号）を送信して、および／または、支援データをブロードキャストして、ＵＥ１０５のポジショニングを支援するかもしれないが、ＵＥ１０５からまたは他のＵＥから信号を受信しないかもしれない、ポジショニングのみのビーコンとして機能するように構成されていてもよい。ただ１つのｎｇ−ｅＮＢ１１４が図１中に示されているが、以下の説明は、複数のｎｇ−ｅＮＢ１１４の存在を仮定することがあることに留意されたい。
【００２９】
［００３８］
留意したように、図１は、５Ｇ通信プロトコルにしたがって通信するように構成されているノードを描いているが、例えば、ＬＰＰプロトコルまたはＩＥＥＥ８０２．１１ｘプロトコルのような、他の通信プロトコルにしたがって通信するように構成されているノードを使用してもよい。例えば、ＬＴＥワイヤレスアクセスをＵＥ１０５に提供する進化型パケットシステム（ＥＰＳ）では、ＲＡＮは、進化型ユニバーサル移動体電気通信システム（ＵＭＴＳ）地上無線アクセスネットワーク（Ｅ−ＵＴＲＡＮ）を備えていてもよく、これは、ＬＴＥワイヤレスアクセスをサポートする進化型ノードＢ（ｅＮＢ）を備える基地局を構成してもよい。ＥＰＳのためのコアネットワークは、進化型パケットコア（ＥＰＣ）を備えていてもよい。次いで、ＥＰＳは、Ｅ−ＵＴＲＡＮプラスＥＰＣを備えていてもよく、Ｅ−ＵＴＲＡＮは、ＮＧ−ＲＡＮ１３５に対応し、ＥＰＣは、図１中の５ＧＣ１４０に対応する。ＵＥ１０５ポジショニングのサポートのためのここで説明するポジション測定信号は、このような他のネットワークに適用可能であってもよい。
【００３０】
［００３９］
ｇＮＢ１１０およびｎｇ−ｅＮＢ１１４は、ＡＭＦ１１５と通信することができ、ＡＭＦ１１５は、ポジショニング機能性のために、ロケーション管理機能（ＬＭＦ）１２０と通信する。ＡＭＦ１１５は、セル変更およびハンドオーバーを含む、ＵＥ１０５のモビリティをサポートしてもよく、ＵＥ１０５へのシグナリング接続、ならびに、場合によっては、ＵＥ１０５に対するデータおよび音声ベアラをサポートすることに関与してもよい。ＬＭＦ１２０は、ＵＥ１０５がＮＧ−ＲＡＮ１３５にアクセスするとき、ＵＥ１０５のポジショニングをサポートしてもよく、（ここで説明するポジショニング測定信号を利用することができる）観測到着時間差（ＯＴＤＯＡ）等のようなポジション方法をサポートしてもよい。ＬＭＦ１２０はまた、例えば、ＡＭＦ１１５またはＧＭＬＣ１２５から受信した、ＵＥ１０５に対するロケーションサービス要求を処理してもよい。ＬＭＦ１２０は、ＡＭＦ１１５および／またはＧＭＬＣ１２５に接続されていてもよい。いくつかの実施形態では、（ＵＥ１０５のロケーションの導出を含む）ポジショニング機能性の少なくとも一部分は、（例えば、ｇＮＢ１１０およびｎｇ−ｅＮＢ１１４のようなワイヤレスノードによって送信されたポジション測定信号に対してＵＥ１０５によって取得された信号測定と、例えば、ＬＭＦ１２０によってＵＥ１０５に提供された支援データとを使用して）ＵＥ１０５において実行されてもよいことに留意されたい。
【００３１】
［００４０］
ゲートウェイモバイルロケーションセンター（ＧＭＬＣ）１２５は、外部クライアント１３０から受信したＵＥ１０５に対するロケーション要求をサポートしてもよく、ＡＭＦ１１５によってＬＭＦ１２０に転送するために、このようなロケーション要求をＡＭＦ１１５に転送してもよく、または、ロケーション要求をＬＭＦ１２０に直接転送してもよい。（例えば、ＵＥ１０５に対するロケーション推定を含む）ＬＭＦ１２０からのロケーション応答は、同様に、直接またはＡＭＦ１１５を介してのいずれかでＧＭＬＣ１２５に返されてもよく、次いで、ＧＭＬＣ１２５は、（例えば、ロケーション推定を含む）ロケーション応答を外部クライアント１３０に返してもよい。ＧＭＬＣ１２５は、図１ではＡＭＦ１１５およびＬＭＦ１２０の両方に接続されて示されているが、いくつかのインプリメンテーションでは、これらの接続のうちの１つのみが５ＧＣ１４０によってサポートされていてもよい。
【００３２】
［００４１］
述べたように、通信システム１００は５Ｇテクノロジーに関連して説明されているが、（例えば、音声、データ、ポジショニング、および、他の機能性を実現するために）ＵＥ１０５のような移動体デバイスをサポートし、移動体デバイスと対話するのに使用されるＧＳＭ、ＷＣＤＭＡ、ＬＴＥ等のような他の通信テクノロジーをサポートするように、通信システム１００を実現してもよい。いくつかのこのような実施形態では、５ＧＣ１４０は、異なるエアインターフェースを制御するように構成されていてもよい。例えば、いくつかの実施形態では、５ＧＣ１４０は、５ＧＣ１４０中の非３ＧＰＰインターワーキング機能（Ｎ３ＩＷＦ、図１中には図示せず）を使用して、ＷＬＡＮに接続されていてもよい。例えば、ＷＬＡＮは、ＵＥ１０５のためにＩＥＥＥ８０２．１１Ｗｉ−Ｆｉアクセスをサポートしてもよく、１つ以上のＷｉ−Ｆｉ  ＡＰを備えていてもよい。ここで、Ｎ３ＩＷＦは、ＷＬＡＮに、および、ＡＭＦ１１５のような５ＧＣ１４０中の他の要素に接続していてもよい。他の何らかの実施形態では、ＮＧ−ＲＡＮ１３５および５ＧＣ１４０の両方が、他のＲＡＮおよび他のコアネットワークによって置き換えられてもよい。例えば、ＥＰＳでは、ＮＧ−ＲＡＮ１３５は、ｅＮＢを含むＥ−ＵＴＲＡＮによって置き換えられてもよく、５ＧＣ１４０は、ＡＭＦ１１５の代わりにモビリティ管理エンティティ（ＭＭＥ）と、ＬＭＦ１２０の代わりに進化型サービングモバイルロケーションセンター（Ｅ−ＳＭＬＣ）と、ＧＭＬＣ１２５と同様であってもよいＧＭＬＣとを含む、ＥＰＣによって置き換えられてもよい。このようなＥＰＳでは、Ｅ−ＳＭＬＣは、Ｅ−ＵＴＲＡＮ中のｅＮＢにロケーション情報を送り、および、Ｅ−ＵＴＲＡＮ中のｅＮＢからロケーション情報を受け取ってもよく、ＵＥ１０５のポジショニングをサポートしていてもよい。これらの他の実施形態では、ＵＥ１０５のポジショニングは、ｇＮＢ１１０、ｎｇ−ｅＮＢ１１４、ＡＭＦ１１５、および、ＬＭＦ１２０に対してここで説明する機能性および手順が、いくつかのケースでは、代わりに、ｅＮＢ、Ｗｉ−Ｆｉ  ＡＰ、ＭＭＥ、および、Ｅ−ＳＭＬＣのような他のネットワーク要素に適用されるかもしれないという違いを伴って、５Ｇネットワークに対してここで説明するものと類似の方法でサポートされていてもよい。
【００３３】
［００４２］
通信システム１００によるＵＥ１０５のポジション決定は、典型的には、ＵＥ１０５と複数の基地局１１０、１１４のそれぞれとの間の距離（例えば、それぞれ、ＵＥ１０５とｇＮＢ１１０−１、１１０−２、および、１１０−３との間の距離Ｄ１、Ｄ２、および、Ｄ３）を決定することと、三辺測量を使用して、ＵＥのロケーションを決定することとを伴う。上記のように、これらの距離を決定するために、ＵＥ１０５は、これらの基地局１１０、１１４によって送信される（ここで以下に説明されるものを含む）ポジション測定信号を測定することができる。例えば、基準信号時間差（ＲＳＴＤ）測定に基づくＯＴＤＯＡを使用するポジション決定は、典型的に、基地局１１０、１１４によるこれらの基準信号の送信の同期、または、基地局１１０、１１４のペア間の実時間差（ＲＴＤ）の他の何らかの方法で取得された知識のいずれかを必要とする。ＬＭＦ１２０は、典型的に、この知識を有し、したがって、さまざまな基地局１１０、１１４のＵＥ１０５によって行われる測定に基づく非同期ネットワークにおけるポジション決定は、例えば、ＬＭＦ１２０がＵＥ１０５から測定を受信した後にＵＥ１０５のポジションを決定すること、または、ＵＥ１０５がＬＭＦ１２０からＲＴＤ情報を受信した後にそれ自体のポジションを決定することを伴うことがある。ＬＴＥネットワークでは、ＰＲＳ基準信号を使用して、ＯＴＤＯＡポジショニングのために、これらのＲＳＴＤ測定を行うことができる。
【００３４】
［００４３］
図２は、参照のために提供される、ＰＲＳポジショニング機会を有するＬＴＥサブフレームシーケンスの構造の図である。図２では、図示するように、時間は、左から右に時間が増加するように水平に（例えば、Ｘ軸上に）表され、周波数は、下から上に周波数が増加（または、減少）するように垂直に（例えば、Ｙ軸上に）表されている。図２中に示すように、ダウンリンクおよびアップリンクＬＴＥ無線フレーム２１０は、それぞれ１０ｍ秒の持続時間である。ダウンリンク周波数分割デュプレクス（ＦＤＤ）モードに対して、無線フレーム２１０は、それぞれ１ｍ秒の持続時間の１０個のサブフレーム２１２で構成されている。各サブフレーム２１２は、それぞれ０．５ｍ秒の持続時間の２つのスロット２１４を含んでいる。ＬＴＥでは、これらの無線フレーム２１０は、図１の基地局１１０、１１４と同様の基地局によって送信される。ＰＲＳは、エリア中の任意のＵＥによって検出されてもよく、したがって、これらの基地局によって「ブロードキャスト」されると考えられる。
【００３５】
［００４４］
周波数ドメインでは、利用可能な帯域幅は、均一に間隔を空けた直交副搬送波２１６に分割されていてもよい。例えば、１５ｋＨｚ間隔を使用する通常の長さのサイクリックプレフィックスに対して、副搬送波２１６は、１２個の副搬送波または「周波数ビン」のグループにグループ化されていてもよい。図２において、１２個の副搬送波２１６を含む各グルーピングは、「リソースブロック」（または、「物理リソースブロック」（ＰＲＢ））として呼ばれ、上記の例では、リソースブロック中の副搬送波の数は、ＮＲＢＳＣ＝１２と書けるかもしれない。所定のチャネル帯域幅に対して、送信帯域幅コンフィギュレーション２２２としても呼ばれる、各チャネル２２２上の利用可能なリソースブロックの数は、ＮＤＬＲＢ２２２として示される。例えば、上記の例における３ＭＨｚチャネル帯域幅に対して、各チャネル２２２上の利用可能なリソースブロックの数は、ＮＤＬＲＢ＝１５によって与えられる。
【００３６】
［００４５］
したがって、リソースブロックは、１つのサブフレーム２１２（２つのスロット２１４）と１２個の副搬送波とを含む、無線フレーム２１０中の周波数および時間リソースのユニットとして説明できる。各スロット２１４は、（ダウンリンク（ＤＬ）無線フレームに対する）基地局、または、（アップリンク（ＵＬ）無線フレームに対する）ＵＥが、無線周波数（ＲＦ）信号を送信するかもしれない６または７個の期間、または、「シンボル」を含んでいる。１２×１２または１４×１２グリッド中の各１つの副搬送波×１シンボルセルは、「リソース要素」（ＲＥ）を表しており、「リソース要素」（ＲＥ）は、フレームの最小の離散部分であり、物理チャネルまたは信号からのデータを表している単一の複素値を含んでいる。
【００３７】
［００４６］
ＰＲＳは、ポジショニング「機会」にグループ化されている特殊ポジショニングサブフレーム中で送信されてもよい。例えば、ＬＴＥでは、ＰＲＳポジショニング機会は、連続するポジショニングサブフレームの数ＮＰＲＳ２１８を含むことができ、その数ＮＰＲＳは、１と１６０との間であってもよい（例えば、値１、２、４、および、６とともに他の値を含んでいてもよい）。基地局によってサポートされるセルに対するＰＲＳポジショニング機会は、ミリ秒（または、サブフレーム）間隔の数ＴＰＲＳによって示される間隔２２０において周期的に生じてもよく、ＴＰＲＳは、５、１０、２０、４０、８０、１６０、３２０、６４０、または、１２８０と等しくてもよい。例として、図２は、ポジショニング機会の周期性を示し、ＮＰＲＳは４と等しく、ＴＰＲＳは２０以上である。いくつかの実施形態では、ＴＰＲＳは、連続するポジショニング機会の開始の間のサブフレームの数に関して測定してもよい。
【００３８】
［００４７］
ＰＲＳは、ＰＲＳコンフィギュレーションパラメータ（例えば、ＮＰＲＳ、ＴＰＲＳ、任意のミューティングおよび／または周波数ホッピングシーケンス、ＰＲＳ  ＩＤ、帯域幅等）により展開でき、これは、担当基地局を介してロケーションサーバからＵＥに提供されてもよい。これらのＰＲＳコンフィギュレーションパラメータは、基地局ごとに変化してもよく、これらのＰＲＳコンフィギュレーションパラメータを各基地局に提供するロケーションサーバによって設定されていてもよい。
【００３９】
［００４８］
所定の基地局に対するＰＲＳは、リソースブロック内のリソース要素の予め定められているパターンを使用して送信してもよい。所定の副搬送波に対して、これは、基地局がスロットごとに１〜２個のシンボルを使用してＰＲＳを送信することを意味しているかもしれない。しかしながら、問題なことに、基地局が同じシンボルを使用して、各機会に対してＰＲＳを送信する場合、いったん各機会に対するシンボルが決定されると、ＰＲＳは容易に検出可能になる。このようなことから、これは、ＰＲＳのような従来の基準信号が、基地局のロケーションを決定するためのウォードライビングおよび／またはクラウドソーシングの活動に対して脆弱であるかもしれない１つの態様である。
【００４０】
［００４９］
さらに、所定の基地局に対するＰＲＳはまた、特定のコードを使用して送信されるかもしれない。コード分離は、セル間を区別する能力を改善するためにＰＲＳによって使用される分離の３つのレイヤのうちの１つである。（他の２つは、周波数および時間分離であり、リソースブロックのリソース要素がさまざまな基地局間で割り振られ、基地局がその上で同じリソースを使用しようと試行することを防ぐ。）コード分離では、各基地局は、一意または準一意である異なるＰＲＳシーケンスまたは「コード」を送信し、検出されたＰＲＳを送信した基地局をＵＥが決定することを可能にする。しかしながら、各基地局に対する静的コードの割り振りには問題がある。ＰＲＳの送信のための静的シンボルの使用と同様に、基地局が各機会に同じコードでＰＲＳを送信する場合、ＰＲＳの発信基地局は、いったんコードが決定されると容易に決定可能になる。このようなことから、これは、ＰＲＳのような従来の基準信号が、基地局のロケーションを決定するためのウォードライビングおよび／またはクラウドソーシングの活動に対して脆弱であるかもしれない別の態様である。
【００４１】
［００５０］
５Ｇ標準規格に対して、無線フレームは、図２中に図示したＬＴＥに対する構造と同様であることが予想される。しかしながら、ある特性（例えば、タイミング、利用可能帯域幅等）は変化するかもしれない。加えて、ＰＲＳを置換する新たなポジション測定信号の特性も変化して、この新しい基準信号が、ＰＲＳの現在の特性を上回っておよび超えて、正確な測定を提供すること、マルチパスに対してロバストであること、セル間の高レベルの直交性および分離を提供すること、ならびに、比較的低いＵＥ電力を消費することを可能にするかもしれない。
【００４２】
［００５１］
上記で議論したＰＲＳの脆弱性を防ぐために、ポジション測定信号の実施形態は、機会の間に「シンボルホッピング」および／または「コードホッピング」をさらに用いて、ポジション測定信号が送信されるリソースブロックのシンボルをおよび／またはポジション測定信号をエンコードするコードを動的に調節して、ポジション測定信号の無認可の検出および利用を防ぐのを助けてもよい。ＵＥが各機会に対する正しいシンボルおよび／またはコードを用いて、基地局からのポジション測定信号を「リスニング」することができるように、基地局に対するシンボルホッピングおよび／またはコードホッピングのパターンをＵＥが決定することを可能にする情報が、ロケーションサーバによって、認可されたＵＥに送られてもよい（または、他の何らかの許可プロセスを介して取得されてもよい）。
【００４３】
［００５２］
図３Ａ〜図３Ｃは、シンボルホッピングがさまざまな実施形態においてどのように実現できるかの実例である。図３Ａでは、代表的なスロット（ここではスロット３００として包括的および総称的に呼ばれる）が、３つの連続するポジショニング機会に対して図示されている。ここで、第１、第２、および、第３のポジショニング機会に対するスロットは、それぞれ、３００−１Ａ、３００−２Ａ、および、３００−３Ａとしてラベル付けされている。（もちろん、図２中に図示されているように、リソースブロックごとに２つのスロットがあり、異なる機会のスロット間に多くの介在スロットがあってもよい。これらの追加のスロットは図示されていない。ポジション測定信号はまた、追加の副搬送波を使用して、および／または、特定のものの内の２つ以上のシンボルを使用して、送信されてもよいが、これらの変形も示されていない。このようなことから、示したスロット３００は、ポジション測定信号を送信するのに使用されるスロットおよび／またはシンボルのより大きいセットの実例である。）図２中に図示したリソースブロックのスロット２１４と同様に、これらのスロットはそれぞれ、（スロット３００内の列として図示した）７つのシンボルを有する。網掛けのシンボル３１０−１Ａ、３１０−２Ａ、３１０−３Ａは、ポジション測定信号が基地局によって送信されるシンボルを表している。図３Ｂおよび図３Ｃはまた、同じ規則でラベル付けされ、網掛けされているスロット３００を図示している。
【００４４】
［００５３］
図示したように、図３のスロット３００は、基本シンボルホッピングがどのように実行されうるかを図示している。この例では、ポジション測定信号が送信されるシンボル３１０−１Ａは、スロット３００−１Ａの第１のシンボルを含んでいる。第２の機会では、ポジション測定信号が送信されるシンボル３１０−２Ａは、スロット３００−２Ａの第２のシンボルを含み、第３の機会では、ポジション測定信号が送信されるシンボル３１０−３Ａは、スロット３００−３Ａの第３のシンボルを含んでいる。したがって、スロット内でポジション測定信号が送信されるシンボルのポジションは、各連続するポジショニング機会に対して、１つだけ（第１から、第２、第３、等へ）進む。
【００４５】
［００５４］
図３Ｂ中に図示する例では、ポジション測定信号が送信されるシンボル３１０−１Ｂ、３１０−２Ｂ、および、３１０−３Ｂは、連続するポジショニング機会ごとに２シンボルだけ（例えば、第１から、第３、第５等へ）進む。また、図３Ｃ中に図示する例では、ポジション測定信号が送信されるシンボル３１０−１Ｃ、３１０−２Ｃ、３１０−３Ｃは、連続するポジショニング機会ごとに４シンボルだけ進む。しかしながら、この例では、スロットごとに７個のシンボルしかないことから、第３のスロット３００−３Ｃは、ポジション測定信号が送信されるシンボル３１０−３Ｃがどのようにスロットを「ラップアラウンド」することができるかを図示している。このようなラップアラウンド（第７のシンボルの後の次のシンボルとして、第１のシンボルを扱う）は、ポジショニング測定信号の送信のために指定されたシンボルが、スロット３００のエッジを越えて進む、各機会に対して生じるかもしれない。
【００４６】
［００５５］
したがって、図３Ａ〜図３Ｃ中に図示するように、異なる機会に対して異なるシンボル中で送信することによって、シンボルホッピングを使用して、（例えば、ウォードライビング、クラウドソーシング等を介した）総当たり攻撃に対してガードするのを助けるための暗号化のタイプを追加することができる。さらに、異なる基地局は、異なる方法で進むことができる。例えば、基地局の第１のグループは、図３Ａ中に図示した方法で、第２のグループは、図３Ｂ中に図示した方法で、第３のグループは、図３Ｃ中に図示した方法で、進んでもよい。
【００４７】
［００５６］
図３Ａ〜図３Ｃ中に図示した例におけるシンボルの決定は、使用されるシンボルのポジション（例えば、スロット内の第１、第２等のポジション）は、前のポジションプラスＮ（Ｎは機会ごとに進むシンボルの数）、モジュロＳ（Ｓはスロットごとのシンボルの数）である基本方程式を使用して計算してもよい。いくつかの実施形態では、方程式をリバースエンジニアリングすることをより困難にするかもしれない、機会間の擬似ランダムパターンを作り出す、より高度な方程式またはパターン発生アルゴリズムを使用してもよい。他の実施形態では、１つ以上のシフトレジスタ（例えば、線形フィードバックシフトレジスタ（ＬＦＳＲ））および／または他のハードウェア回路中で値を維持して、ポジション測定信号が送信されるスロットのシンボルを決定してもよい。
【００４８】
［００５７］
いくつかの実施形態では、（少なくとも部分的にハードウェア中で実現するものを含む）シンボルホッピングのために使用される方程式および／または他のアルゴリズムは、入力のための変数として基地局のＩＤを使用し、異なる基地局に対して異なる出力を可能にしてもよい。セルラネットワーク内の基地局に対するシンボルホッピングのパターンを決定するために、認可されたＵＥには、（例えば、ロケーションサーバによって）方程式が与えられてもよい。
【００４９】
［００５８］
方程式によって与えられるパターンにおいて、所定の機会がどこにあるかを決定するために、認可されたＵＥには、「シード情報」も与えられてもよい。この情報は、タイムスタンプと方程式またはアルゴリズムの初期状態として提供されてもよい。図３Ａの例では、例えば、シード情報は、ポジション測定信号がスロットの第１のシンボル中で送信された時間を含んでいてもよく、それによって、ＵＥが、現在の時間に基づいて、現在の時間におけるタイムスタンプ間の機会の数を、したがって、現在の時間においてポジション測定信号が送信されるシンボルを決定することを可能にする。シフトレジスタが使用される実施形態では、シード情報は、シフトレジスタに対する初期値を含んでいてもよく、方程式または他のアルゴリズムを使用して、シフトレジスタをどのように進めるかを決定してもよい。
【００５０】
［００５９］
より一般的には、シンボルホッピングのための「シード情報」は、ＵＥが方程式または他のパターン発生器を使用して、すべての将来の機会に対するシンボル送信を決定することを可能にするタイムスタンプまたは同様の基準を含んでいてもよい。
【００５１】
［００６０］
コードホッピングは、暗号化の追加のレイヤを提供することができる。前に示したように、特定のポジション測定信号を送信した基地局をＵＥが識別することを可能にできる特定のコードでポジション測定信号をエンコードしてもよい。ポジション測定信号送信において使用するコードは、とりわけ、コード間の好ましい直交性と、総当たり攻撃に対して所望の量のセキュリティを提供するのに十分な大きさのコード空間（例えば、数千個以上のオーダーの利用可能なコード）とを提供する自己相関および／または相互相関特性に基づいて選択してもよい。
【００５２】
［００６１］
ＰＲＳおよびＣＲＳ基準信号のためにＬＴＥにおいてゴールドコードを使用し、５Ｇにおけるポジション測定信号においてもゴールドコードを使用してもよい。ゴールドコードは、２０億（２＾３１−１）のシーケンスを循環し、既知の技術を使用して長さ２−３１線形フィードバックシフトレジスタを使用して発生させてもよく、１つのシフトレジスタは、何らかのシード値で初期化された他のシフトレジスタ中の既知の値を含んでいる。とはいえ、ゴールドコードに追加して、または、ゴールドコードの代替として、ポジション測定信号において、Ｚａｄｏｆｆ−Ｃｈｕおよび／または他のコードを使用してもよい。
【００５３】
［００６２］
上記で説明したシンボルホッピングと同様に、コードホッピングは、方程式または他のコード発生器を使用して、ポジション測定信号をエンコードするためのコードを発生させることを伴うことができ、このコードは、プロプライエタリであり、必要に応じて、認可されたＵＥと共有されてもよい（例えば、ロケーションサーバによって送られる）。さらに、コードは、基地局の識別子に基づいて、特定の基地局に個別化されていてもよく、方程式または他のコード発生器に対するシード情報がＵＥに提供され、ＵＥが方程式／コード発生器を使用して、現在のポジション測定信号に対するコードを決定できるようにしてもよい。
【００５４】
［００６３］
コードホッピングスキームはまた、ゴールドコードを適用して、所定のセルに割り当てられている識別の擬似ランダムシーケンスを発生させてもよい。１つの実施形態は、既知のシードを用いてＬＦＳＲを初期化し、ＬＦＳＲをある予め定められている数のステップ進め、出力シーケンスからある数のビットを抽出し、これらのビットを識別番号として評価することである。
【００５５】
［００６４］
コードホッピングスキームの１つの例では、セルＡは、機会１においてセル識別１にしたがって信号を送信し、機会２においてセル識別１７００にしたがって信号を送信してもよい。コードホッピングシーケンスおよびその初期状態の知識を有する認可されたＵＥは、機会１中の識別１を有する測定をセルＡに関係付けることができ、同様に、機会２中の識別１７００を有する測定された信号をセルＡに関係付けることができる。逆に、認可されていないＵＥは、総当たりを通して、機会１中の識別１と、機会２中の識別１７００とを有する信号を検出することができるが、これらの測定をセルＡに容易に関係付けることはできない。検出した測定とその送信ポイントとの間の関係性がなくては、測定は、ポジショニングの目的には役に立たないだろう。
【００５６】
［００６５］
図４は、実施形態にしたがう、ロケーションサーバと、ＵＥと、基地局との間の対話を図示するスイムレーンダイヤグラムである。ロケーションサーバ、ＵＥ、および、基地局は、それぞれ、ＬＭＦ１２０、ＵＥ１０５、および、ｇＮＢのような、図１中に図示するコンポーネントに対応していてもよい。（しかしながら、図４中に図示する対話は、図１の通信ネットワーク１００以外のネットワークで行われてもよい。）当業者が理解するように、代替の実施形態は、図示されているブロックを組み合わせ、分離し、再配置し、および／または、他の方法で対話を変更してもよい。
【００５７】
［００６６］
対話は、ブロック４０５において、ロケーションサーバがＢＳＡをＵＥに送ることで開始してもよく、これは、ブロック４１０においてＵＥによって受け取られる。前述のように、ＢＳＡは、（例えば、いったんＵＥと基地局の少なくとも一部分との間の距離または角度が決定されると、三辺測量または三角測量を介して）ＵＥのロケーションを決定することを可能にする、通信ネットワーク中のさまざまな基地局に対するロケーション情報を含むことができる。このようなことから、いくつかの実施形態では、ＢＳＡは、ＢＳＡ中に複数の基地局のそれぞれに対する識別子と座標とを含んでいてもよい。また、上述したように、いくつかの実施形態は、ＢＳＡの内容が確実に保護されるのを助ける（ＢＳＡの暗号化のような）予防措置を含んでいてもよい。
【００５８】
［００６７］
代替実施形態では、ＢＳＡは、他のソースを介しておよび／または他の時間に、ＵＥによって取得されてもよい。いくつかの実施形態では、例えば、ＢＳＡは、ＵＥのルーチン保守または更新中にＵＥに通信されてもよい。いくつかの実施形態では、ＢＳＡは、ＵＥの製造中に他のソフトウェアとともにインストールされていてもよい。ＢＳＡは、通信されるときに暗号化され、その後、ＢＳＡを使用することがＵＥに認可され、ＢＳＡを解読する鍵がＵＥに与えられるときに「ロック解除」されてもよい。所望の機能性に依存して、このプロセスは、例えば、異なるエンティティ（例えば、ＵＥのユーザ、ＵＥによって実行されるアプリケーション、セルラキャリアまたは他の事業者等）によるアクションによって開始されてもよい。
【００５９】
［００６８］
いくつかの実施形態では、ＢＳＡの１つ以上の基地局によるシンボルホッピングおよび／またはコードホッピングを決定する手段はまた、ブロック４０５および４１０においてロケーションサーバによってＵＥに通信されてもよい。例えば、ロケーションサーバは、ＢＳＡを通信するのと同時に、方程式、パターン発生器、コード発生器、および／または、これらに類するものをＵＥに通信してもよい。（しかしながら、代替実施形態では、別個に通信されてもよい。）前述のように、シンボルホッピングおよび／またはコードホッピングを決定する手段は、基地局に対する識別情報とともにシード情報を使用して、所定のポジショニング機会に対するポジショニング測定信号送信のために基地局が使用する、シンボルおよび／またはコードを決定してもよい。
【００６０】
［００６９］
ブロック４１５において、ＵＥは、ロケーションサーバからのポジショニング情報を要求し、ブロック４２０において、要求がロケーションサーバによって受け取られる。オプション的に、ブロック４２５において、ロケーションサーバは、ＵＥを認可して、ＵＥがポジショニング情報にアクセスする許可を確実に有するようにすることができる。このようなケースでは、ＵＥによって送られるポジショニング情報要求は、ＵＥの識別子、および／または、ロケーションサーバがＵＥを認可することを可能にする認可情報として使用されるかもしれない他の情報を含んでいてもよい。他のインスタンスでは、認可は、別に（例えば、ＵＥとロケーションサーバとの間の通信セッションの開始の間に）行われてもよい。
【００６１】
［００７０］
ブロック４３０において、ロケーションサーバは、ＵＥにポジショニング情報を送り、ＵＥは、これをブロック４３５において受け取る。ここで、ポジショニング情報は、所望の機能性に依存して、ＵＥが３つのことのうちの１つを行うことを可能にするシード情報を含んでいてもよい。第１に、例えば、基地局がシンボルホッピングに携わる場合、ＵＥは、ブロック４４２によって図示されるように、所定のポジショニング機会において基地局によって送信されるポジション決定信号のシンボルを決定することができる。第２に、例えば、基地局がコードホッピングに携わる場合、ＵＥは、ブロック４４４によって図示されるように、ポジション決定信号のコードを決定してもよい。第３に、コードホッピングおよびシンボルホッピングの両方が使用される場合、ＵＥは、ポジション決定信号の指定されたシンボルおよびコードを決定してもよい。
【００６２】
［００７１］
所望の機能性に依存して、ポジショニング情報は、ある時間期間の後に満了してもよい。すなわち、ポジショニング情報中のシード情報は、有限時間期間内の所定のポジショニング機会に基地局によって送信されるポジション決定信号のシンボルおよび／またはコードをＵＥが決定することを可能にしてもよい。時間期間の後、シンボルホッピングおよび／またはコードホッピングに対して、新しいシード情報（または、新しい方程式または他のアルゴリズム）を使用してもよく、この新しい情報を、認可されたＵＥに送ることができる。この機能性は、クラウドソーシングおよび／またはウォードライビング攻撃に対してシステムをより弾力的にするのを助けることができるだけでなく、オペレータがＢＳＡの使用のためにサブスクリプションタイプモデルを用いることを可能にすることができ、ＵＥは、必要に応じて、ポジション測定信号の送信によって提供されるポジショニング方法に対するこれらのライセンス／アクセスを周期的に更新することができる。いずれにしても、実施形態にしたがうと、ブロック４３０において送られ、ブロック４３５において受け取られるポジショニング情報は、複数の機会に対するシンボルおよび／またはコードの決定を可能にしてもよい（したがって、これらの実施形態では、すべての機会に対してポジショニング情報を送る必要はない）。
【００６３】
［００７２］
ブロック４４５において（および、ブロック４４２、４４４、または、４４６における決定が行われた所定の機会の間に）、基地局は、ブロック４４２、４４４、または、４４６において行われた決定に基づいて、指定されたシンボルおよび／またはコードを使用して、ブロック４５０においてＵＥによって受信されるポジショニング測定信号を送信する。これは、ＵＥによって受信されるポジショニング測定信号を送信するいくつかの基地局のうちの１つであってもよく、それによって、ＵＥが、一般的なＯＴＤＯＡ技術あるいは三角測量または三辺測量のような基礎となる方法を使用して、基地局の既知のポジションに基づいて、そのポジションを決定することを可能にする。
【００６４】
［００７３］
この情報に基づいて、ＵＥは、ブロック４５５に図示されるように、そのロケーションを決定することができる。前に示したように、ＵＥは、ＵＥがポジショニング測定信号を受信した基地局のロケーションについての情報とともに、ＢＳＡをローカルに記憶することによって、そのようにすることが可能にされていてもよい。追加的にまたは代替的に、ＵＥは、ポジショニングセッションの間に、ロケーションサーバからこの情報を取得してもよい。当業者は、ブロック４５５においてロケーションが決定されてもよい多数の方法を理解するであろう。
【００６５】
［００７４］
図５は、上記で説明し、図１、図３、および、図４に図示した実施形態の態様によるＵＥの機能性を図示する実施形態にしたがう、ワイヤレス通信ネットワーク中で移動体デバイスを用いて基準信号を取得する方法５００を図示するフローダイヤグラムである。ブロックの機能性を実行する手段は、図７中に図示し、以下でより詳細に説明する、ＵＥ１０５のソフトウェアおよび／またはハードウェアコンポーネントを含んでいてもよい。
【００６６】
［００７５］
ブロック５１０において、機能性は、移動体デバイスにおいて、ワイヤレス通信ネットワーク中の複数の基地局に対する基地局情報を取得することを含んでいる。基地局情報は、複数の基地局の各基地局のロケーションと識別子とを含んでいる。上記のように、基地局情報は、ＢＳＡまたは基地局関連データの同様の収集物を含んでいてもよく、製造時の（例えば、担当基地局、Ｗｉ−Ｆｉアクセスポイント、または、他の情報ゲートウェイを通して、セルラ通信ネットワーク、インターネット、または、他の手段を介しての）ロケーションサーバからのもの（そして、その後、例えば、ロック解除される）を、および、これらに類するものを含む、さまざまな方法のうちのいずれかで、移動体デバイスに提供されてもよい。
【００６７】
［００７６］
ブロック５１０において機能性を実行する手段は、バス７０５、処理ユニット７１０、ワイヤレス通信インターフェース７３０、メモリ７６０、入力デバイス７７０、および／または、図７中に示し、以下でより詳細に説明するＵＥ１０５の他のコンポーネントのような、ＵＥ１０５の１つ以上のコンポーネントを備えていてもよい。
【００６８】
［００７７］
ブロック５２０において、機能性は、移動体デバイスにおいて、複数の基地局のうちの基地局に対するシード情報を取得することを含んでいる。前述のように、ＵＥは、方程式または他のアルゴリズムに入れるシード情報を利用して、ある時間期間（例えば、サブスクリプション時間）中に、または、無期限に、任意の所定のポジショニング機会に対して、ポジション測定信号の送信のためのシンボルおよび／またはコードを決定してもよい。いくつかの実施形態では、シード情報は、基地局によって後に送信されるワイヤレスポジショニング測定信号の少なくとも一部分の、シンボル期間、コード、または、両方を決定できる時間を示しているタイムスタンプを含んでいてもよい。追加的にまたは代替的に、シード情報は、初期状態情報を含んでいてもよく、初期状態情報は、シンボルホッピングおよび／またはコードホッピングのために使用されるアルゴリズムのタイプに依存して変化してもよい（例えば、初期状態情報は、１つ以上のシフトレジスタに対する初期値と、より大きいパターンにおける初期コードおよび／またはシンボル等とを含んでいてもよい）。所望の機能性に依存して、この情報は、基地局によって、または、他の手段によって（例えば、Ｗｉ−Ｆｉアクセスポイントを通して、インターネットを介して、ロケーションサーバから）提供されてもよい。シード情報は、複数の基地局（例えば、ＢＳＡ中のすべての基地局、ＵＥの推定ポジションのある距離内のすべての基地局等）に対するシード情報を提供するメッセージ中で来てもよい。
【００６９】
［００７８］
ブロック５２０において機能性を実行する手段は、図７中に図示し、以下でより詳細に説明する、バス７０５、処理ユニット７１０、ワイヤレス通信インターフェース７３０、メモリ７６０、入力デバイス７７０、および／または、ＵＥ１０５の他のコンポーネントのような、ＵＥ１０５の１つ以上のコンポーネントを備えていてもよい。
【００７０】
［００７９］
ブロック５３０において、機能性は、基地局に対する基地局情報とシード情報とに基づいて、第１のポジショニング機会に対する第１の情報を決定することを含んでいる。ここで、第１の情報は、（１）一連の連続するシンボルを有する第１のリソースブロックから選択され、第１の機会の間の基地局によるポジション測定信号の送信に対して指定された第１のシンボル、または、（２）コードの予め定められているセットから選択され、第１のポジショニング機会の間の基地局によるポジション測定信号の送信をエンコードするように指定された第１のコード、のいずれかまたは両方を含むことができる。言い換えれば、第１の情報は、指定されたシンボル（ブロック４４２の機能性）、指定されたコード（ブロック４４４）、または、指定されたシンボルとコードの両方（ブロック４４６）を決定することによって、図４中に図示した機能性をＵＥが実行することを可能にすることができる。したがって、シンボルホッピングおよび／またはコードホッピングが生じる場合、第１の機会の間の基地局によるポジション測定信号の送信において、どのシンボルおよび／またはコードを使用するかに関する決定が行われてもよい。いくつかの実施形態にしたがうと、第１のシンボルまたは第１のコードのいずれかまたは両方を決定することは、初期状態情報に基づいて、線形フィードバックシフトレジスタに値を入力することを含むことができる。追加的にまたは代替的に、第１のシンボルまたは第１のコードのいずれかまたは両方を決定することは、シード情報からのデータを方程式に入力することと、方程式から第１のシンボルまたは第１のコードのいずれかまたは両方を取得することとを含んでいてもよい。
【００７１】
［００８０］
ブロック５３０において機能性を実行する手段は、図７中に図示され、以下でより詳細に説明する、バス７０５、処理ユニット７１０、メモリ７６０、入力デバイス７７０、および／または、ＵＥ１０５の他のコンポーネントのような、ＵＥ１０５の１つ以上のコンポーネントを備えていてもよい。
【００７２】
［００８１］
ブロック５４０において、機能性は、移動体デバイスを用いて、第１のシンボルまたは第１のコードのいずれかまたは両方を決定することに基づいて、ポジション測定信号の第１の測定を行うことを含んでいる。前に示したように、ポジション測定信号は、ＬＴＥにおけるＰＲＳまたはＣＲＳ信号と同様であってもよく、ＲＴＤ測定を行い、ＯＴＤＯＡポジショニングのために、ＲＴＤ測定を使用することができる。
【００７３】
［００８２］
ブロック５４０において機能性を実行する手段は、図７中に図示され、以下でより詳細に説明する、バス７０５、処理ユニット７１０、ワイヤレス通信インターフェース７３０、メモリ７６０、入力デバイス７７０、および／または、ＵＥ１０５の他のコンポーネントのような、ＵＥ１０５の１つ以上のコンポーネントを備えていてもよい。
【００７４】
［００８３］
所望の機能性に依存して、実施形態は、１つ以上の追加の特徴を含んでいてもよい。基地局によるシンボルホッピングおよび／またはコードホッピングは、第１の機会と第２の機会との間に生じてもよい。したがって、機能性は、基地局に対する識別情報とシード情報とに基づいて、第２のポジショニング機会に対する第２のポジショニング測定信号情報を決定することを含んでいてもよく、第２のポジショニングレジメント信号情報は、（１）一連の連続するシンボルを有する第２のリソースブロックから選択され、第２の機会の間の基地局によるポジション測定信号の送信に対して指定された第２のシンボル、または、（２）コードの予め定められているセットから選択され、第２のポジショニング機会の間の基地局によるポジション測定信号の送信に対して指定された第２のコード、のいずれかまたは両方を含んでいる。移動体デバイスを用いて、第２のシンボルまたは第２のコードのいずれかまたは両方を決定することに基づいて、ポジション測定信号の第２の測定を行ってもよい。ここで、図３Ａ〜３Ｃ中に図示されているように、リソースブロック内の第２のシンボルのポジションは、第１のリソースブロック内の第１のシンボルのポジションと異なっていてもよい。追加的にまたは代替的に、第２のコードは、第１のコードと異なっていてもよい。線形フィードバックシフトレジスタを使用する場合、第２のコードを決定することは、少なくとも１つの線形フィードバックシフトレジスタの値を回数シフトすることを含んでいてもよい。シフトの量は、基地局ごとに変化してもよい。このようなことから、少なくとも１つの線形フィードバックシフトレジスタの値をシフトする回数を決定することは、基地局の識別に基づいていてもよい。追加的にまたは代替的に、いくつかの実施形態では、方法は、移動体デバイスを用いて、複数のポジショニング機会のそれぞれに対して、少なくとも１つの線形フィードバックシフトレジスタの値をシフトする回数を決定することをさらに含んでいてもよく、少なくとも１つの線形フィードバックシフトレジスタの値をシフトする回数は、複数のポジショニング機会のうちの少なくとも２つのポジショニング機会に対して異なる。
【００７５】
［００８４］
図６は、実施形態にしたがう、ワイヤレス通信ネットワークの基地局から基準信号を送信する方法６００を図示するフローダイヤグラムである。図５中に図示した１つ以上のブロックの機能性は、基地局（例えば、図１中に図示したｇＮＢ１１０および／またはｎｇ−ｅＮＢ１１４）によって実行してもよい。これらの機能を実行する手段は、図９中に図示され、以下でより詳細に説明するようなソフトウェアおよび／またはハードウェアコンポーネントを含んでいてもよい。
【００７６】
［００８５］
ブロック６１０において、機能性は、第１のポジショニング機会の間にポジション測定信号を送信し、ポジション測定信号は、一連の連続するシンボルを有する第１のリソースブロックの第１のシンボルの間に送信され、ポジション測定信号は、コードの予め定められているセットの第１のコードでエンコードされることを含んでいる。ブロック６１０において機能性を実行する手段は、例えば、図９中に図示され、以下でより詳細に説明する、バス９０５、処理ユニット９１０、ワイヤレス通信インターフェース９３０、（ソフトウェアコンポーネントを含んでいてもよい）メモリ９６０、ならびに／あるいは、基地局の他のハードウェアおよび／またソフトウェアコンポーネントを備えていてもよい。
【００７７】
［００８６］
ブロック６２０において、機能性は、第２のポジショニング機会の間にポジション測定信号を送信し、ポジション測定信号は、一連の連続するシンボルを有する第２のリソースブロックの第２のシンボルの間に送信され、ポジション測定信号は、コードの予め定められているセットの第２の信号でエンコードされることを含んでいる。ここで、基地局は、第１のポジショニング機会と第２のポジショニング機会との間のシンボルホッピングおよび／またはコードホッピングに携わっていてもよい。したがって、第２のシンボルは、第２のリソースブロック内で、第１のリソースブロック内の第１のシンボルの順序と異なる順序を有していてもよく、第２のコードは、第１のコードと異なっていてもよく、または、両方であってもよい。
【００７８】
［００８７］
ブロック６１０において機能性を実行する手段は、例えば、図９中に図示され、以下でより詳細に説明する、バス９０５、処理ユニット９１０、ワイヤレス通信インターフェース９３０、（ソフトウェアコンポーネントを含んでいてもよい）メモリ９６０、ならびに／あるいは、基地局の他のハードウェアおよび／またはソフトウェアコンポーネントを備えていてもよい。
【００７９】
［００８８］
図７は、（例えば、図１〜６に関連して）ここの上記で説明したように利用できる、ＵＥ１０５の実施形態を図示している。例えば、ＵＥ１０５は、図５の方法５００の機能のうちの１つ以上を実行することができる。図７は、さまざまなコンポーネントの一般的な実例を提供することのみを意味し、それらのいずれかまたはすべてを適切に利用してもよいことに留意すべきである。いくつかのインスタンスでは、図７によって図示されるコンポーネントは、単一の物理的デバイスに局所化され、および／または、異なる物理的ロケーションに配置されていてもよい（例えば、ユーザの身体の異なる部分に位置付けられ、このケースでは、コンポーネントは、パーソナルエリアネットワーク（ＰＡＮ）および／または他の手段を介して通信可能に接続されていてもよい）さまざまなネットワーク化されているデバイス間で分散されていてもよいことに留意されたい。
【００８０】
［００８９］
バス７０５を介して電気的に結合することができる（または、そうでなければ、適切に通信してもよい）ハードウェア要素を備えるＵＥ１０５が示されている。ハードウェア要素は、処理ユニット７１０を含んでいてもよく、処理ユニット７１０は、１つ以上の汎用プロセッサ、（デジタル信号プロセッシング（ＤＳＰ）チップ、グラフィックスアクセラレーションプロセッサ、特定用途向け集積回路（ＡＳＩＣ）、および／または、これらに類するもののような）１つ以上の特殊目的プロセッサ、ならびに／あるいは、他の処理構造または手段を含むことができるが、これらに限定されない。図７中に示すように、いくつかの実施形態は、所望の機能に依存して、別個のＤＳＰ７２０を有してもよい。ワイヤレス通信に基づくロケーション決定および／または他の決定は、（以下で議論する）処理ユニット７１０および／またはワイヤレス通信インターフェース７３０において提供されてもよい。ＵＥ１０５はまた、１つ以上の入力デバイス７７０と、１つ以上の出力デバイス７１５とを含むことができ、入力デバイス７７０は、キーボード、タッチスクリーン、タッチパッド、マイクロフォン、ボタン、ダイヤル、スイッチ、および／または、これらに類するものを含むことができるが、これらに限定されず、出力デバイス７１５は、ディスプレイ、発光ダイオード（ＬＥＤ）、スピーカー、および／または、これらに類するものを含むことができるが、これらに限定されない。
【００８１】
［００９０］
ＵＥ１０５はまた、ワイヤレス通信インターフェース７３０を含んでいてもよく、ワイヤレス通信インターフェース７３０は、モデム、ネットワークカード、赤外線通信デバイス、ワイヤレス通信デバイス、および／または、（Ｂｌｕｅｔｏｏｔｈ（登録商標）デバイス、ＩＥＥＥ８０２．１１デバイス、ＩＥＥＥ８０２．１５．４デバイス、Ｗｉ−Ｆｉデバイス、ＷｉＭＡＸデバイス、セルラ通信設備等のような）チップセット、ならびに／あるいは、これらに類するものを含んでいてもよいが、これらに限定されず、これらは、図１に関して上記で説明したネットワークを介してＵＥ１０５が通信することを可能にしてもよい。ワイヤレス通信インターフェース７３０は、データおよびシグナリングが、ネットワーク、ｅＮＢ、ｇＮＢ、ｎｇ−ｅＮＢ、および／または、他のネットワークコンポーネント、コンピュータシステム、および／または、ここで説明する他の何らかの電子デバイスとの間で通信（例えば、送信および受信）されることを可能にしてもよい。通信は、ワイヤレス信号７３４を送るおよび／または受け取る１つ以上のワイヤレス通信アンテナ７３２を介して実行することができる。
【００８２】
［００９１］
所望の機能性に依存して、ワイヤレス通信インターフェース７３０は、基地局（例えば、ｎｇ−ｅＮＢおよびｇＮＢ）と通信する別個のトランシーバと、ワイヤレスデバイスおよびアクセスポイントのような他の地上トランシーバとを備えていてもよい。ＵＥ１０５は、さまざまなネットワークタイプを含んでいてもよい異なるデータネットワークと通信してもよい。例えば、ワイヤレス広域ネットワーク（ＷＷＡＮ）は、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波周波数分割多元接続（ＳＣ−ＦＤＭＡ）ネットワーク、ＷｉＭＡＸ（ＩＥＥＥ  ８０２．１６）等であってもよい。ＣＤＭＡネットワークは、ｃｄｍａ２０００、広帯域ＣＤＭＡ（Ｗ−ＣＤＭＡ（登録商標））等のような、１つ以上の無線アクセステクノロジー（ＲＡＴ）を実現してもよい。ｃｄｍａ２０００には、ＩＳ−９５、ＩＳ−２０００、および、ＩＳ−８５６標準規格が含まれる。ＴＤＭＡネットワークは、ＧＳＭ（登録商標）、デジタルアドバンストモバイルフォンシステム（Ｄ−ＡＭＰＳ）、または、他の何らかのＲＡＴを実現するかもしれない。ＯＦＤＭＡネットワークは、ＬＴＥ、ＬＴＥアドバンスト、５Ｇ  ＮＲ等を用いるかもしれない。５Ｇ  ＮＲ、ＬＴＥ、ＬＴＥアドバンスト、ＧＳＭ、および、ＷＣＤＭＡは、「第３世代パートナーシッププロジェクト」（３ＧＰＰ）からの文書中に説明されている。ｃｄｍａ２０００は、「第三世代パートナーシッププロジェクト２」（３ＧＰＰ２）という名の機関からの文書中に説明されている。３ＧＰＰおよび３ＧＰＰ２文書は、公的に入手可能である。ワイヤレスローカルエリアネットワーク（ＷＬＡＮ）は、ＩＥＥＥ８０２．１１ｘネットワークであってもよく、ワイヤレスパーソナルエリアネットワーク（ＷＰＡＮ）は、Ｂｌｕｅｔｏｏｔｈ（登録商標）ネットワーク、ＩＥＥＥ８０２．１５ｘ、または、他の何らかのタイプのネットワークであってもよい。ここで説明する技術はまた、ＷＷＡＮ、ＷＬＡＮ、および／または、ＷＰＡＮの任意の組み合わせに対して使用してもよい。
【００８３】
［００９２］
ＵＥ１０５は、センサ７４０をさらに含むことができる。センサ７４０は、１つ以上の慣性センサおよび／または他のセンサ（例えば、加速度計、ジャイロスコープ、カメラ、磁力計、高度計、マイクロフォン、近接センサ、光センサ、気圧計、および、これらに類するもの）を含んでいてもよいが、これらに限定されず、これらのうちのいくつかは、ここで説明するポジション決定を補完および／または促進するために使用してもよい。
【００８４】
［００９３］
ＵＥ１０５の実施形態はまた、（アンテナ７３２と同じものとすることができる）アンテナ７８２を使用して、１つ以上のＧＮＳＳ衛星（例えば、ＳＶ１９０）から信号７８４を受信することが可能なＧＮＳＳ受信機７８０を含んでいてもよい。ＧＮＳＳ信号測定に基づくポジショニングを利用して、ここで説明する技術を補完および／または組み込むことができる。ＧＮＳＳ受信機７８０は、グローバルポジショニングシステム（ＧＰＳ）、ガリレオ、グロナス、日本上の準天頂衛星システム（ＱＺＳＳ）、インド上のインド領域ナビゲーショナル衛星システム（ＩＲＮＳＳ）、中国上の北斗、および／または、これらに類するもののような、ＧＮＳＳシステムのＧＮＳＳ  ＳＶから、従来の技術を使用して、ＵＥ１０５のポジションを抽出することができる。さらに、ＧＮＳＳ受信機７８０は、例えば、広域補強システム（ＷＡＡＳ）、欧州静止航法オーバーレイサービス（ＥＧＮＯＳ）、多機能衛星補強システム（ＭＳＡＳ）、および、静止衛星型衛星航法補強システム（ＧＡＧＡＮ）、および／または、これらに類するもののような、１つ以上のグローバルおよび／または領域ナビゲーション衛星システムに関係付けられるか、または、そうでなければ、これらとともに使用することが可能であってもよい、さまざまな補強システム（例えば、衛星ベース補強システム（ＳＢＡＳ））とともに使用できる。
【００８５】
［００９４］
ＵＥ１０５は、メモリ７６０をさらに含み、および／または、メモリ７６０と通信してもよい。メモリ７６０は、ローカルおよび／またはネットワークアクセス可能記憶装置、ディスクドライブ、ドライブアレイ、光記憶デバイス、ランダムアクセスメモリ（「ＲＡＭ」）および／またはリードオンリーメモリ（「ＲＯＭ」）のようなソリッドステート記憶デバイスを含めることができるが、これらに限定されず、これらは、プログラム可能、フラッシュ更新可能、および／または、これらに類するものとすることができる。このような記憶デバイスは、さまざまなファイルシステム、データベース構造、および／または、これらに類するものを含むが、これらに限定されない、任意の適切なデータ記憶を実現するように構成されていてもよい。
【００８６】
［００９５］
ＵＥ１０５のメモリ７６０は、オペレーティングシステム、デバイスドライバ、実行可能ライブラリ、および／または、１つ以上のアプリケーションプログラムのような他のコードを含む、（図７中に示していない）ソフトウェア要素も備えることができ、これは、さまざまな実施形態により提供されるコンピュータプログラムを含んでもよく、ならびに／あるいは、ここで説明したように、他の実施形態により提供される方法を実現し、および／または、システムを構成するように設計されていてもよい。単なる例として、上記で議論した方法に関して説明した１つ以上の手順は、ＵＥ１０５（ならびに／あるいは、ＵＥ１０５内の処理ユニット７１０またはＤＳＰ７２０）によって実行可能な、メモリ７６０中のコードおよび／または命令として実現してもよい。態様において、このようなコードおよび／または命令を使用して、汎用コンピュータ（または、他のデバイス）を構成および／または適合させて、説明した方法にしたがって１つ以上の動作を実行することができる。
【００８７】
［００９６］
図８は、通信ネットワークサーバ８００の実施形態を図示しており、これは、ＮＧ−ＲＡＮ１３５および５ＧＣ１４０のような５Ｇネットワークのさまざまなコンポーネント、ならびに／あるいは、他のネットワークタイプの同様のコンポーネントを含む、通信システム（例えば、図１の通信システム１００）の１つ以上のコンポーネントにおいて利用され、および／または、それらに組み込まれてもよい。図８は、図６に関連して説明した方法のような、さまざまな他の実施形態によって提供される方法を実行することができる通信ネットワークサーバ８００の１つの実施形態の概略図を提供している。図８は、さまざまなコンポーネントの一般的な実例を提供することのみを意味し、これらのいずれかまたはすべてを適切に利用してもよいことに留意すべきである。したがって、図８は、比較的別々にされている方法で、または、比較的より統合されている方法で、どのように個々のシステム要素を実現できるかを広く図示している。さらに、図８によって図示されるコンポーネントは、単一のデバイスに局所化され、および／または、異なる物理的または地理的ロケーションに配置されていてもよいさまざまなネットワーク化されているデバイスの間で分散されていてもよいことに留意されたい。いくつかの実施形態では、通信ネットワークサーバ８００は、ＬＭＦ１２０、Ｅ−ＳＭＬＣ、ＳＵＰＬロケーションプラットフォーム（ＳＬＰ）、および／または、他の何らかのタイプのロケーション可能デバイスに対応していてもよい。
【００８８】
［００９７］
バス８０５を介して電気的に結合することができる（または、そうでなければ、適切に通信してもよい）ハードウェア要素を備える通信ネットワークサーバ８００が示されている。ハードウェア要素は、処理ユニット８１０を含んでいてもよく、処理ユニット８１０は、１つ以上の汎用プロセッサ、（デジタル信号プロセッサチップ、グラフィックスアクセラレーションプロセッサ、および／または、これらに類するもののような）１つ以上の特殊目的プロセッサ、および／または、図６に関連して説明した方法を含む、ここで説明した方法のうちの１つ以上を実行するように構成することができる、他の処理構造を含むことができるが、これらに限定されない。通信ネットワークサーバ８００はまた、１つ以上の入力デバイス８１５と、１つ以上の出力デバイス８２０とを含むことができ、入力デバイス８１５は、マウス、キーボード、カメラ、マイクロフォン、および／または、これらに類するものを含むことができるが、これらに限定されず、出力デバイス８２０は、ディスプレイデバイス、プリンタ、および／または、これらに類するものを含むことができるが、これらに限定されない。
【００８９】
［００９８］
通信ネットワークサーバ８００は、１つ以上の非一時的記憶デバイス８２５をさらに含んでいて（および／または、１つ以上の非一時的記憶デバイス８２５と通信して）もよく、１つ以上の非一時的記憶デバイス８２５は、ローカルおよび／またはネットワークアクセス可能の記憶装置を備えることができるが、これらに限定されず、ならびに／あるいは、ディスクデバイス、ドライブアレイ、光学記憶デバイス、ＲＡＭおよび／またはＲＯＭのようなソリッドステート記憶デバイスを含めることができるが、これらに限定されず、これらは、プログラム可能、フラッシュ更新可能、および／または、これらに類するものとすることができる。このような記憶デバイスは、さまざまなファイルシステム、データベース構造、および／または、これらに類するものを含むが、これらに限定されない、任意の適切なデータ記憶を実現するように構成されていてもよい。
【００９０】
［００９９］
通信ネットワークサーバ８００はまた、通信サブシステム８３０を含んでいてもよく、これは、ワイヤレス通信インターフェース８３３によって管理および制御される（いくつかの実施形態における）ワイヤライン通信テクノロジーおよび／またはワイヤレス通信テクノロジーのサポートを含むことができる。通信サブシステム８３０は、モデム、ネットワークカード（ワイヤレスまたはワイヤード）、赤外線通信デバイス、ワイヤレス通信デバイス、および／または、チップセット、ならびに／あるいは、これらに類するものを含んでいてもよい。通信サブシステム８３０は、ネットワーク、移動体デバイス、他の通信ネットワークサーバ、コンピュータシステム、および／または、ここで説明する他の何らかの電子デバイスと、データおよびシグナリングが交換できるように、ワイヤレス通信インターフェース８３３のような、１つ以上の入力および／または出力通信インターフェースを含んでいてもよい。「移動体デバイス」および「ＵＥ」という用語は、ここでは交換可能に使用されることに留意されたい。
【００９１】
［０１００］
多くの実施形態では、通信ネットワークサーバ８００は、ＲＡＭおよび／またはＲＯＭデバイスを含むことができるワーキングメモリ８３５をさらに備えている。ソフトウェア要素は、ワーキングメモリ８３５内に位置付けられているように示されており、オペレーティングシステム８４０、デバイスドライバ、実行可能ライブラリ、および／または、アプリケーションプログラム８４５のような他のコードを含むことができ、これは、さまざまな実施形態により提供されるコンピュータプログラムを含んでもよく、ならびに／あるいは、ここで説明したように、他の実施形態により提供される、方法を実現し、および／または、システムを構成するように設計されていてもよい。単なる例示として、図６に関連して説明した方法のような、上記で議論した方法に関して説明した１つ以上の手順は、ワーキングメモリ８３５中に（例えば、一時的に）記憶され、コンピュータ（および／または、処理ユニット８１０のようなコンピュータ内の処理ユニット）により実行可能であるコードおよび／または命令として実行されるかもしれず、ある態様では、このようなコードおよび／または命令を使用して、汎用コンピュータ（または、他のデバイス）を構成および／または適合させ、説明した方法にしたがって１つ以上の動作を実行することができる。
【００９２】
［０１０１］
これらの命令および／またはコードのセットは、上記で説明した記憶デバイス８２５のような、非一時的コンピュータ読取可能記憶媒体上に記憶されていてもよい。いくつかのケースでは、記憶媒体は、通信ネットワークサーバ８００のような、通信ネットワークサーバ内に組み込まれていてもよい。他の実施形態では、記憶媒体を使用して、その上に記憶されている命令／コードにより汎用コンピュータをプログラム、構成および／または適合できるように、記憶媒体は、通信ネットワークサーバ（例えば、光学ディスクのような取り外し可能媒体）から分離していてもよく、および／または、インストールパッケージ中で提供されていてもよい。これらの命令は、通信ネットワークサーバ８００により実行可能である、実行可能なコードの形態をとるかもしれず、および／または、ソースおよび／またはインストール可能なコードの形態をとるかもしれず、ソースおよび／またはインストール可能なコードは、（例えば、さまざまな一般的に利用可能な、コンパイラ、インストールプログラム、圧縮／伸長ユーティリティ等のいずれかを使用して）通信ネットワークサーバ８００上でのコンパイルおよび／またはインストールのときに、実行可能なコードの形態をとる。
【００９３】
［０１０２］
図９は、（例えば、図１〜６に関連して）ここの上記で説明したように利用できる基地局９００の実施形態を示している。例えば、基地局９００は、図６の方法６００の機能のうちの１つ以上を実行することができる。図９は、さまざまなコンポーネントの一般的な実例を提供することのみを意味し、これらのいずれかまたはすべてを適切に利用してもよいことに留意すべきである。いくつかの実施形態では、基地局９００は、ここの上記で説明した、ＬＭＦ１２０、ｇＮＢ１１０、ｎｇ−ｅＮＢ１１４に対応していてもよい。
【００９４】
［０１０３］
バス９０５を介して電気的に結合できる（または、さもなければ、他の方法で適切に通信してもよい）ハードウェア要素を備える基地局９００が示されている。ハードウェア要素は、処理ユニット９１０を含んでいてもよく、これは、１つ以上の汎用プロセッサ、（ＤＳＰチップ、グラフィックスアクセラレーションプロセッサ、ＡＳＩＣ、および／または、これらに類するもののような）１つ以上の特殊目的プロセッサ、ならびに／あるいは、他の処理構造または手段を含むことができるが、これらに限定されない。図９に示すように、いくつかの実施形態は、所望の機能に依存して、別個のＤＳＰ９２０を有していてもよい。ワイヤレス通信に基づくロケーション決定および／または他の決定は、（以下で議論する）処理ユニット９１０および／またはワイヤレス通信インターフェース９３０において提供されてもよい。基地局９００はまた、１つ以上の入力デバイス９７０と、１つ以上の出力デバイス９１５とを含むことができ、１つ以上の入力デバイス９７０は、キーボード、ディスプレイ、マウス、マイクロフォン、ボタン、ダイヤル、スイッチ、および／または、これらに類するものを含むことができるが、これらに限定されず、１つ以上の出力デバイス９１５は、ディスプレイ、ＬＥＤ、スピーカー、および／または、これらに類するものを含むことができるが、これらに限定されない。
【００９５】
［０１０４］
基地局９００はまた、ワイヤレス通信インターフェース９３０を含んでいてもよく、ワイヤレス通信インターフェース９３０は、モデム、ネットワークカード、赤外線通信デバイス、ワイヤレス通信デバイス、および／または、（Ｂｌｕｅｔｏｏｔｈ（登録商標）デバイス、ＩＥＥＥ８０２．１１デバイス、ＩＥＥＥ８０２．１５．４デバイス、Ｗｉ−Ｆｉデバイス、ＷｉＭＡＸデバイス、セルラ通信機能等のような）チップセット、および／または、これらに類するものを含んでいてもよいが、これらに限定されない。ワイヤレス通信インターフェース９３０は、データおよびシグナリングが、ＵＥ、他の基地局（例えば、ｅＮＢ、ｇＮＢ、および、ｎｇ−ｅＮＢ）、および／または、他のネットワークコンポーネント、コンピュータシステム、および／または、ここで説明する他の何らかの電子デバイスに通信される（例えば、送信および受信される）ことを可能にしてもよい。通信は、ワイヤレス信号９３４を送るおよび／または受け取る１つ以上のワイヤレス通信アンテナ９３２を介して実行することができる。
【００９６】
［０１０５］
基地局９００はまた、ワイヤライン通信テクノロジーのサポートを含むことができるネットワークインタフェース９８０を含んでいてもよい。ネットワークインタフェース９８０は、モデム、ネットワークカード、チップセット、および／または、これらに類するものを含んでいてもよい。ネットワークインタフェース９８０は、ネットワーク、通信ネットワークサーバ、コンピュータシステム、および／または、ここで説明する他の何らか電子デバイスとデータの交換を可能にする、１つ以上の入力および／または出力通信インターフェースを含んでいてもよい。
【００９７】
［０１０６］
多くの実施形態では、基地局９００は、メモリ９６０をさらに備えている。メモリ９６０は、ローカルおよび／またはネットワークアクセス可能記憶装置、ディスクドライブ、ドライブアレイ、光記憶デバイス、ＲＡＭおよび／またはＲＯＭのようなソリッドステート記憶デバイスを含むことができるが、これらに限定されず、これらは、プログラム可能、フラッシュ更新可能、および／または、これらに類するものとすることができる。このような記憶デバイスは、さまざまなファイルシステム、データベース構造、および／または、これらに類するものを含むが、これらに限定されない、任意の適切なデータ記憶を実現するように構成されていてもよい。
【００９８】
［０１０７］
基地局９００のメモリ９６０は、オペレーティングシステム、デバイスドライバ、実行可能ライブラリ、および／または、１つ以上のアプリケーションプログラムのような他のコードを含む、（図９中に示していない）ソフトウェア要素も含むことができ、これは、さまざまな実施形態により提供されるコンピュータプログラムを含んでいてもよく、ならびに／あるいは、ここで説明したように、他の実施形態により提供される方法を実現し、および／または、システムを構成するように設計されていてもよい。単なる例として、上記で議論した方法に関して説明した１つ以上の手順は、基地局９００（ならびに／あるいは、基地局９００内の処理ユニット９１０またはＤＳＰ９２０）によって実行可能な、メモリ９６０中のコードおよび／または命令として実現してもよい。態様において、このようなコードおよび／または命令を使用して、汎用コンピュータ（または、他のデバイス）を構成および／または適合させて、説明した方法にしたがって１つ以上の動作を実行することができる。
【００９９】
［０１０８］
特定の要件にしたがって実質的な変更を行ってもよいことは当業者には明らかであろう。例えば、カスタマイズされているハードウェアも使用してもよく、および／または、特定の要素は、ハードウェア、（アプレット等のようなポータブルソフトウェアを含む）ソフトウェア、または、両方で実現してもよい。さらに、ネットワーク入力／出力デバイスのような、他のコンピューティングデバイスへの接続を用いてもよい。
【０１００】
［０１０９］
添付の図面を参照すると、メモリを含むことができるコンポーネントは、非一時的機械読取可能媒体を含むことができる。ここで使用するように、「機械読取可能媒体」および「コンピュータ読取可能媒体」という用語は、機械に特定の様式で動作させるデータを提供することに関与するあらゆる記憶媒体を指している。上記で提供した実施形態では、さまざまな機械読取可能媒体は、実行のために処理ユニットおよび／または他のデバイスに命令／コードを提供する際に関与してもよい。追加的にまたは代替的に、機械読取可能媒体は、このような命令／コードを記憶および／または搬送するために使用してもよい。多くのインプリメンテーションでは、コンピュータ読取可能媒体は、物理的および／または有形の記憶媒体である。このような媒体は、不揮発性の媒体、揮発性の媒体、および、送信媒体を含む、多くの形態をとってもよいが、これらに限定されない。コンピュータ読取可能媒体の一般的な形態は、例えば、磁気および／または光学媒体、パンチカード、ペーパーテープ、ホールのパターンを有する他の何らかの物理媒体、ＲＡＭ、ＰＲＯＭ、ＥＰＲＯＭ、ＦＬＡＳＨ（登録商標）−ＥＰＲＯＭ、他の何らかのメモリチップまたはカートリッジ、以下で説明するような搬送波、あるいは、コンピュータが命令および／またはコードを読み取ることができる他の何らかの媒体を含んでいる。
【０１０１】
［０１１０］
上記で議論した方法、システムおよびデバイスは、例である。さまざまな実施形態は、適切に、さまざまな手順またはコンポーネントを、省略、置換、または、追加してもよい。例えば、ある実施形態に関して説明した特徴を、さまざまな他の実施形態において組み合わせてもよい。実施形態の異なる態様および要素を、類似した方法で組み合わせてもよい。ここで提供する図のさまざまなコンポーネントは、ハードウェアおよび／またはソフトウェアで具現化することができる。また、テクノロジーは進化することから、要素のうちの多くは例であり、本開示を特定の例に限定するものではない。
【０１０２】
［０１１１］
このような信号を、ビット、情報、値、要素、シンボル、特性、変数、用語、数、数値、または、これらに類するものと呼ぶことは、主に、共同使用の理由から、時には便利であると証明されている。しかしながら、これらの用語および類似する用語はすべて、適切な物理量に関係付けられているものであり、単に便宜的なラベルにすぎないことを理解すべきである。そうではないと明確に述べられていない限り、上記の議論から明らかなように、本明細書全体を通して、「処理する」、「計算する」、「算出する」、「決定する」、「把握する」、「識別する」、「関係付ける」、「測定する」、「実行する」、または、これらに類するもののような用語を利用する議論は、特殊目的コンピュータまたは類似する特殊目的電子コンピューティングデバイスのような、特定の装置のアクションまたはプロセスのことを指していると認識される。したがって、本明細書の文脈では、特殊目的コンピュータまたは類似する特殊目的電子コンピューティングデバイスは、特殊目的コンピュータまたは類似する特殊目的電子コンピューティングデバイスの、メモリ、レジスタ、または、他の情報記憶デバイス、送信デバイス、または、ディスプレイデバイス内の、物理的電子的、電気的、または、磁気的な量として典型的に表される信号を操作または変換することが可能である。
【０１０３】
［０１１２］
ここで使用するような、用語「および」および「または」は、このような用語が使用されている文脈に少なくとも部分的に依存するようにも予想される、さまざまな意味を含んでいてもよい。典型的に、Ａ、Ｂ、または、Ｃのようなリストを関係付けるために使用される場合の「または」は、包含的な意味でここでは使用されている、Ａ、Ｂ、および、Ｃを意味するとともに、排他的な意味でここでは使用されている、Ａ、Ｂ、または、Ｃを意味するように意図されている。加えて、ここで使用されるような、用語「１つ以上」は、単数形における任意の特徴、構造、または、特性を説明するために使用しているかもしれず、または、特徴、構造、または、特性の何らかの組み合わせを説明するために使用しているかもしれない。しかしながら、これは単なる例示的な例にすぎず、請求項中に記載されている主題事項は、この例に限定されるものではないことに留意すべきである。さらに、用語「〜のうちの少なくとも１つ」は、Ａ、Ｂ、または、Ｃのようなリストを関係付けるために使用される場合、Ａ、ＡＢ、ＡＡ、ＡＡＢ、ＡＡＢＣＣＣ等のような、Ａ、Ｂ、および／または、Ｃの任意の組み合わせを意味するように解釈できる。
【０１０４】
［０１１３］
いくつかの実施形態を説明してきたが、本開示の精神から逸脱することなく、さまざまな修正、代替構造、および、均等物を使用してもよい。例えば、上記要素は大きなシステムのコンポーネントにすぎず、他のルールが優先してもよく、または、そうでない場合には、さまざまな実施形態のアプリケーションを修正してもよい。また、上記の要素が考慮される前に、間に、または、後に、多くのステップに取り掛かってもよい。したがって、上記の説明は、本開示の範囲を限定するものではない。
【図１】
2021521709.tif 000003
【図２】
2021521709.tif 000004
【図３Ａ】
2021521709.tif 000005
【図３Ｂ】
2021521709.tif 000006
【図３Ｃ】
2021521709.tif 000007
【図４】
2021521709.tif 000008
【図５】
2021521709.tif 000009
【図６】
2021521709.tif 000010
【図７】
2021521709.tif 000011
【図８】
2021521709.tif 000012
【図９】
2021521709.tif 000013
【国際調査報告】
2021521709.tif 000014
2021521709.tif 000015
2021521709.tif 000016